(57)【要約】【課題】調色組成物の提供。【解決手段】本発明は、少なくとも１種の光触媒、及び少なくとも１種のアゾ色素、及び／又は少なくとも１種のトリフェニルメタン色素を含み、ＣＩＥｌａｂ色座標系において２２０−３２０°の相対色相角を示す組成物、洗剤組成物、織物柔軟剤組成物、並びに、このような混合物を使用した調色方法に関する。【選択図】なし【特許請求の範囲】
【請求項１】
少なくとも１種の光触媒及び少なくとも１種のアゾ色素及び／又は少なくとも１種のトリフェニルメタン色素を含む組成物であって、２２０−３２０°の相対色相角を示し、かつ該組成物が光に曝露される場合、該色素成分が分解する組成物。
【請求項２】
前記組成物が日光に曝露される場合、前記色素成分が分解する、請求項１記載の組成物。
【請求項３】
前記アゾ色素及び／又はトリフェニルメタン色素の減少率が２時間当り少なくとも１％である、請求項１又は２記載の組成物。
【請求項４】
前記光触媒が、Ｚｎ、Ｆｅ（ＩＩ）、Ｃａ、Ｍｇ、Ｎａ、Ｋ、Ａｌ、Ｓｉ（ＩＶ）、Ｐ（Ｖ）、Ｔｉ（ＩＶ）、Ｇｅ（ＩＶ）、Ｃｒ（ＶＩ）、Ｇａ（ＩＩＩ）、Ｚｒ（ＩＶ）、Ｉｎ（ＩＩＩ）、Ｓｎ（ＩＶ）又はＨｆ（ＶＩ）の水溶性フタロシアニンである、請求項１、２又は３のいずれか１項に記載の組成物。
【請求項５】
前記光触媒が、式
【化１】
2007501306.tif 000095
（式中、
ＰＣは、フタロシアニン環系を表わし；
Ｍｅは、Ｚｎ；Ｆｅ（ＩＩ）；Ｃａ；Ｍｇ；Ｎａ；Ｋ；Ａｌ−Ｚ1；Ｓｉ（ＩＶ）；Ｐ（Ｖ）；Ｔｉ（ＩＶ）；Ｇｅ（ＩＶ）；Ｃｒ（ＩＶ）；Ｇａ（ＩＩＩ）；Ｚｒ（ＩＶ）；Ｉｎ（ＩＩＩ）；Ｓｎ（ＩＶ）又はＨｆ（ＶＩ）を表わし；
Ｚ1は、ハリド；スルフェート；ニトレート；カルボキシレート；アルカノレート；又はヒドロキシルイオンを表わし；
ｑは、０；１又は２を表わし；
ｒは、１ないし４を表わし；
Ｑ1は、スルホ基又はカルボキシル基；又は式−ＳＯ2Ｘ2−Ｒ1−Ｘ3+；−Ｏ−Ｒ1−Ｘ3+；又は−（ＣＨ2）t−Ｙ1+で表わされる基を表わし；
ここで、
Ｒ1は、枝分かれした又は枝分かれしていない炭素原子数１ないし８のアルキレン基；又は１，３−又は１，４−フェニレン基を表わし；
Ｘ2は、−ＮＨ−；又は−Ｎ−炭素原子数１ないし５のアルキル基を表わし；
Ｘ3+は、式
【化２】
2007501306.tif 000096
で表わされる基を表わすか；又は、Ｒ1＝炭素原子数１ないし８のアルキレン基の場合はまた、式
【化３】
2007501306.tif 000097
で表わされる基を表わし；
Ｙ1+は、式
【化４】
2007501306.tif 000098
で表わされる基を表わし；
ｔは、０又は１を表わし；
上記各式において、
Ｒ2及びＲ3は、互いに独立して、炭素原子数１ないし６のアルキル基を表わし；
Ｒ4は、炭素原子数１ないし６のアルキル基；炭素原子数５ないし７のシクロアルキル基又はＮＲ7Ｒ8を表わし；
Ｒ5及びＲ6は、互いに独立して、炭素原子数１ないし５のアルキル基を表わし；
Ｒ7及びＲ8は、互いに独立して、水素原子又は炭素原子数１ないし５のアルキル基を表わし；
Ｒ9及びＲ10は、互いに独立して、未置換の炭素原子数１ないし６のアルキル基又はヒドロキシル基、シアノ基、カルボキシル基、カルブ−炭素原子数１ないし６のアルコキシ基（ｃａｒｂ−Ｃ1−Ｃ6ａｌｋｏｘｙ）、炭素原子数１ないし６のアルコキシ基、フェニル基、ナフチル基又はピリジル基で置換された炭素原子数１ないし６のアルキル基を表わし；
ｕは、１ないし６を表わし；
Ａ1は、芳香族の５ないし７員の窒素複素環を完成させる単位であって、そしてそれは、適当であれば、環員として、１又は２つの更なる窒素原子もまた含み得り；
Ｂ1は、飽和した５ないし７員の窒素複素環を完成させる単位であって、そしてそれは、適当であれば、環員として、１又は２つの窒素原子、酸素原子及び／又は硫黄原子もまた含み得り
Ｑ2は、ヒドロキシル基；炭素原子数１ないし２２のアルキル基；枝分かれした炭素原子数３ないし２２のアルキル基；炭素原子数２ないし２２のアルケニル基；枝分かれした炭素原子数３ないし２２のアルケニル基及びそれらの混合物；炭素原子数１ないし２２のアルコキシ基；スルホ基又はカルボキシル基；式
【化５】
2007501306.tif 000099
で表わされる基；
式
【化６】
2007501306.tif 000100
で表わされる枝分かれしたアルコキシ基；式−（Ｔ1）d−（ＣＨ2）b（ＯＣＨ2ＣＨ2）a−Ｂ3で表わされるアルキルエチレンオキシ単位又は式ＣＯＯＲ18で表わされるエステルを表わし；
ここで、
Ｂ2は、水素原子；ヒドロキシル基；炭素原子数１ないし３０のアルキル基；炭素原子数１ないし３０のアルコキシ基；−ＣＯ2Ｈ；−ＣＨ2ＣＯＯＨ；−ＳＯ3-Ｍ1；−ＯＳＯ3-Ｍ1；−ＰＯ32-Ｍ1；−ＯＰＯ32-Ｍ1；及びそれらの混合物を表わし；
Ｂ3は、水素原子；ヒドロキシル基；−ＣＯＯＨ；−ＳＯ3-Ｍ1；−ＯＳＯ3-Ｍ1又は炭素原子数１ないし６のアルコキシ基を表わし；
Ｍ1は、水溶性カチオンを表わし；
Ｔ1は、−Ｏ−；又は−ＮＨ−を表わし；
Ｘ1及びＸ4は、互いに独立して、−Ｏ−；−ＮＨ−又は−Ｎ−炭素原子数１ないし５のアルキル基を表わし；
Ｒ11及びＲ12は、互いに独立して、水素原子；スルホ基及びその塩；カルボキシル基及びその塩又はヒドロキシル基を表わし；基Ｒ11及びＲ12の少なくとも１つは、スルホ基又
はカルボキシル基又はその塩を表わし、
Ｙ2は、−Ｏ−；−Ｓ−；−ＮＨ−又は−Ｎ−炭素原子数１ないし５のアルキル基を表わし；
Ｒ13及びＲ14は、互いに独立して、水素原子；炭素原子数１ないし６のアルキル基；ヒドロキシ−炭素原子数１ないし６のアルキル基；シアノ−炭素原子数１ないし６のアルキル基；スルホ−炭素原子数１ないし６のアルキル基；カルボキシ−又はハロゲン−炭素原子数１ないし６のアルキル基；未置換のフェニル基又はハロゲン原子、炭素原子数１ないし４のアルキル基又は炭素原子数１ないし４のアルコキシ基によって置換されたフェニル基；スルホ基又はカルボキシル基を表わすか、又はＲ13及びＲ14は、それらが結合されるところの窒素原子と一緒になって、飽和した５−又は６−員複素環を形成し、該複素環はまた、環員として、窒素原子又は酸素原子を更に含み得り；
Ｒ15及びＲ16は、互いに独立して、炭素原子数１ないし６のアルキル基又はアリール−炭素原子数１ないし６のアルキル基を表わし；
Ｒ17は、水素原子；未置換の炭素原子数１ないし６のアルキル基又はハロゲン原子、ヒドロキシル基、シアノ基、フェニル基、カルボキシル基、カルブ−炭素原子数１ないし６のアルコキシ基又は炭素原子数１ないし６のアルコキシ基で置換された炭素原子数１ないし６のアルキル基を表わし；
Ｒ18は、炭素原子数１ないし２２のアルキル基；枝分かれした炭素原子数３ないし２２のアルキル基；炭素原子数１ないし２２のアルケニル基又は枝分かれした炭素原子数３ないし２２のアルケニル基；炭素原子数３ないし２２のグリコール基；炭素原子数１ないし２２のアルコキシ基；枝分かれした炭素原子数３ないし２２のアルコキシ基；及びそれらの混合物を表わし；
Ｍは、水素原子；又はアルカリ金属イオン又はアンモニウムイオンを表わし；
Ｚ2-は、塩素原子；臭素原子；アルキル硫酸イオン又はアラルキル硫酸イオンを表わし；
ａは、０又は１を表わし；
ｂは、０ないし６を表わし；
ｃは、０ないし１００を表わし；
ｄは、０；又は１を表わし；
ｅは、０ないし２２を表わし；
ｖは、２ないし１２の整数を表わし；
ｗは、０又は１を表わし；
Ａ-は、有機又は無機アニオンを表わし、
ｓは、Ａ-が一価アニオンの場合、ｒと等しく、Ａ-が多価アニオンの場合、≦ｒであり、Ａs-は陽電荷を相殺する必要があり；ここで、ｒ≠１の場合、基Ｑ1は、同一であるか又は異なり得る。）で表わされる水溶性フタロシアニンであり、かつフタロシアニン環系はまた、更なる可溶性の基を含み得る、請求項１、２、３又は４のいずれか１項に記載の組成物。
【請求項６】
前記アゾ色素が、式
【化７】
2007501306.tif 000101
（式中、
Ｘ及びＹは、互いに独立して、それぞれ、水素原子；炭素原子数１ないし４のアルキル基又は炭素原子数１ないし４のアルコキシ基を表わし、
Ｒαは、水素原子又はアリール基を表わし、
Ｚは、炭素原子数１ないし４のアルキル基；炭素原子数１ないし４のアルコキシ基；ハロゲン原子；ヒドロキシル基又はカルボキシル基を表わし、
ｎは、１又は２を表わし、
ｍは、０、１又は２を表わす。）で表わされる化合物、並びにそれらの相当する塩及びそれらの混合物である、請求項１ないし５のいずれか１項に記載の組成物。
【請求項７】
前記アゾ色素が、式
【化８】
2007501306.tif 000102
で表わされる化合物である、請求項１ないし６のいずれか１項に記載の組成物。
【請求項８】
前記トリフェニルメタン色素が、式
【化９】
2007501306.tif 000103
【化１０】
2007501306.tif 000104
で表わされる化合物である、請求項１ないし７のいずれか１項に記載の組成物。
【請求項９】
少なくとも１種のＦＷＡが含まれる、請求項１ないし８のいずれか１項に記載の組成物。
【請求項１０】
請求項１ないし９に記載の組成物を含む、粒状配合物。
【請求項１１】
ａ）粒質物の総質量に基づき、２ないし７５質量％の請求項１ないし９で定義した少なくとも１種の水溶性フタロシアニン化合物及び少なくとも１種のアゾ色素及び／又は少なくとも１種のトリフェニルメタン色素、
ｂ）粒質物の総質量に基づき、１０ないし９５質量％の少なくとも１種の更なる添加剤、及び
ｃ）粒質物の総質量に基づき、０ないし１５質量％の水
を含む、請求項９記載の粒状配合物。
【請求項１２】
請求項１ないし９に記載の組成物を含む、液状配合物。
【請求項１３】
洗剤配合物であって、
Ｉ）洗剤配合物の総質量に基づき、５ないし７０質量％のＡ）少なくとも１種のアニオン性界面活性剤、及び／又はＢ）少なくとも１種の非イオン性界面活性剤、
ＩＩ）洗剤配合物の総質量に基づき、５ないし６０質量％のＣ）少なくとも１種のビルダー物質、
ＩＩＩ）洗剤配合物の総質量に基づき、０ないし３０質量％のＤ）少なくとも１種のペルオキシド及び、所望により、少なくとも１種の活性剤、及び、
ＩＶ）０．００１ないし１質量％のＥ）少なくとも１種の粒質物であって、
ａ）前記粒質物の総質量に基づき、２ないし７５質量％の請求項１ないし９で定義した少なくとも１種の水溶性フタロシアニン化合物及び少なくとも１種のアゾ色素及び／又は少なくとも１種のトリフェニルメタン色素、
ｂ）前記粒質物の総質量に基づき、１０ないし９５質量％の少なくとも１種の更なる添加剤、及び
ｃ）前記粒質物の総質量に基づき、０ないし１５質量％の水
を含む粒質物、
Ｖ）０ないし６０質量％のＦ）少なくとも１種の更なる添加剤、及び、
ＶＩ）０ないし５質量％のＧ）水
を含む、洗剤配合物。
【請求項１４】
（ａ）請求項１ないし９で定義した少なくとも１種の光触媒及び少なくとも１種のアゾ色素及び／又は少なくとも１種のトリフェニルメタン色素を含む組成物、及び、
（ｂ）織物柔軟剤
を含む、柔軟剤組成物。
【請求項１５】
請求項１ないし１４の組成物を使用した調色方法。
【請求項１６】
請求項１ないし１４の組成物で処理された生地。
【発明の詳細な説明】
【技術分野】
【０００１】
本発明は、少なくとも１種の光触媒、及び少なくとも１種のアゾ色素、及び／又は少なくとも１種のトリフェニルメタン色素を含み、ＣＩＥｌａｂ色座標系において２２０−３２０°の相対色相角を示す組成物、洗剤組成物、織物柔軟剤組成物、並びに、このような混合物を使用した調色方法に関する。
【背景技術】
【０００２】
漂白及び白化においてしばしば使用される方法では、その漂白及び白化作用を改善するために、紫色又は青色染料が共に使用される。このような染料は、蛍光白化剤と共に使用される場合、２つの異なる目的を果たし得る。一方では、織物の黄色を相殺することによって白色度の増加を達成する試みを可能とし、この場合、織物上に蛍光白化剤によって生じた白色の色調を十分に保持させる。他方の目的は、織物上に蛍光白化剤によって生じる白色効果による色調に、該染料を用いて変化をもたらすことにあり得、この場合もまた、更に白色度を増加させる試みがなされる。そのため、所望の白色作用による色調を調整することが可能である。
紙及び編織布の等の材料の調色方法は、例えば、独国特許第３１２５４９５号公報から既知である。
【特許文献１】独国特許第３１２５４９５号公報。
【発明の開示】
【発明が解決しようとする課題】
【０００３】
これらの開示された調色方法において、それぞれ、開示された光触媒及び色素の混合物は、使用する度に色素が蓄積し、２、３回の使用後には、織物が着色されるため、例えば、洗剤又は柔軟剤配合物における常用のために適当ではない。
それ故、本発明の目的は、織物の着色を導かない、少なくとも１種の光触媒及び少なくとも１種のアゾ色素及び／又はトリフェニルメタン色素の混合物を発見することにある。
【課題を解決するための手段】
【０００４】
この問題は、少なくとも１種の光触媒及び少なくとも１種のアゾ色素及び／又は少なくとも１種のトリフェニルメタン色素を含み、２２０−３２０°の相対色相角を示し、かつ光安定性ではない組成物によって解決される。それは、混合物の成分は、織物へ適用される場合、光によって破壊されることを意味する。
驚くべきことに、（光触媒なしで）このような色素が織物に適用される場合、それは、破壊されない（又ははるかにゆっくりと破壊される）。
【０００５】
それ故、本発明は、少なくとも１種の光触媒及び少なくとも１種のアゾ色素及び／又は少なくとも１種のトリフェニルメタン色素を含む組成物であって、２２０−３２０°の相対色相角を示し、かつ該組成物が光に曝露される場合、該色素成分が分解する組成物に関する。
色座標及び色差は、国際標準のＣＩＥＬＡＢ三刺激値を使用して示される；
ａ*＝赤−緑（＋，−）、
ｂ*＝黄−青（＋，−）、
Ｌ*＝明度（明るい＝１００）、
Ｃ*＝色度、
Ｈ*＝色相（０°の角度＝赤、９０°の角度＝黄、１８０°の角度＝緑、２７０°の角度＝青）、
そして、色差ΔＥ*、ΔＨ*、ΔＣ*、ΔＬ*、Δａ*及びΔｂ*はサンプルの識別番号と共
に。
この国際的に認められた系は、ＣＩＥ（‘‘Ｃｏｍｍｉｓｓｉｏｎ  Ｉｎｔｅｒｎａｔｉｏｎａｌｅ  ｄｅ  ｌ’Ｅｃｌａｉｒａｇｅ’’）によって発展してきた。それは、例えば、ＤＩＮ６１７４：１９７９−０１並びにＤＩＮ５０３３−３：１９９２−０７の一部である。
【０００６】
好ましくは、本発明は、少なくとも１種の光触媒及び少なくとも１種のアゾ色素及び／又は少なくとも１種のトリフェニルメタン色素を含む組成物であって、２２０−３２０°の相対色相角を示し、かつ該組成物が日光に曝露される場合、該色素成分が分解する組成物に関する。
【０００７】
より好ましくは、本発明は、少なくとも１種の光触媒及び少なくとも１種のアゾ色素及び／又は少なくとも１種のトリフェニルメタン色素を含む組成物であって、２２０−３２０°の相対色相角を示し、かつ該組成物が日光に曝露される場合、アゾ色素及び／又はトリフェニルメタン色素の減少率が２時間当り少なくとも１％、好ましくは少なくとも２％である組成物に関する。
【０００８】
成分の分解は、分光光度法で決定され得る。
好ましくは、前記光触媒はフタロシアニンである。
より好ましくは、前記光触媒は、Ｚｎ、Ｆｅ（ＩＩ）、Ｃａ、Ｍｇ、Ｎａ、Ｋ、Ａｌ、Ｓｉ（ＩＶ）、Ｐ（Ｖ）、Ｔｉ（ＩＶ）、Ｇｅ（ＩＶ）、Ｃｒ（ＶＩ）、Ｇａ（ＩＩＩ）、Ｚｒ（ＩＶ）、Ｉｎ（ＩＩＩ）、Ｓｎ（ＩＶ）又はＨｆ（ＶＩ）の水溶性フタロシアニンであり；
より好ましくは、前記光触媒は、式
【化１】
2007501306.tif 000002
（式中、
ＰＣは、フタロシアニン環系を表わし；
Ｍｅは、Ｚｎ；Ｆｅ（ＩＩ）；Ｃａ；Ｍｇ；Ｎａ；Ｋ；Ａｌ−Ｚ1；Ｓｉ（ＩＶ）；Ｐ（Ｖ）；Ｔｉ（ＩＶ）；Ｇｅ（ＩＶ）；Ｃｒ（ＩＶ）；Ｇａ（ＩＩＩ）；Ｚｒ（ＩＶ）；Ｉｎ（ＩＩＩ）；Ｓｎ（ＩＶ）又はＨｆ（ＶＩ）を表わし；
Ｚ1は、ハリド；スルフェート；ニトレート；カルボキシレート；アルカノレート；又はヒドロキシルイオンを表わし；
ｑは、０；１又は２を表わし；
ｒは、１ないし４を表わし；
Ｑ1は、スルホ基又はカルボキシル基；又は式−ＳＯ2Ｘ2−Ｒ1−Ｘ3+；−Ｏ−Ｒ1−Ｘ3+；又は−（ＣＨ2）t−Ｙ1+で表わされる基を表わし；
ここで、
Ｒ1は、枝分かれした又は枝分かれしていない炭素原子数１ないし８のアルキレン基；又は１，３−又は１，４−フェニレン基を表わし；
Ｘ2は、−ＮＨ−；又は−Ｎ−炭素原子数１ないし５のアルキル基を表わし；
Ｘ3+は、式
【化２】
2007501306.tif 000003
で表わされる基を表わすか；又は、Ｒ1＝炭素原子数１ないし８のアルキレン基の場合はまた、式
【化３】
2007501306.tif 000004
で表わされる基を表わし；
Ｙ1+は、式
【化４】
2007501306.tif 000005
で表わされる基を表わし；
ｔは、０又は１を表わし；
上記各式において、
Ｒ2及びＲ3は、互いに独立して、炭素原子数１ないし６のアルキル基を表わし；
Ｒ4は、炭素原子数１ないし６のアルキル基；炭素原子数５ないし７のシクロアルキル基又はＮＲ7Ｒ8を表わし；
Ｒ5及びＲ6は、互いに独立して、炭素原子数１ないし５のアルキル基を表わし；
Ｒ7及びＲ8は、互いに独立して、水素原子又は炭素原子数１ないし５のアルキル基を表わし；
Ｒ9及びＲ10は、互いに独立して、未置換の炭素原子数１ないし６のアルキル基又はヒドロキシル基、シアノ基、カルボキシル基、カルブ−炭素原子数１ないし６のアルコキシ基（ｃａｒｂ−Ｃ1−Ｃ6ａｌｋｏｘｙ）、炭素原子数１ないし６のアルコキシ基、フェニル基、ナフチル基又はピリジル基で置換された炭素原子数１ないし６のアルキル基を表わし；
ｕは、１ないし６を表わし；
Ａ1は、芳香族の５ないし７員の窒素複素環を完成させる単位であって、そしてそれは、適当であれば、環員として、１又は２つの更なる窒素原子もまた含み得り；
Ｂ1は、飽和した５ないし７員の窒素複素環を完成させる単位であって、そしてそれは、適当であれば、環員として、１又は２つの窒素原子、酸素原子及び／又は硫黄原子もまた含み得り
Ｑ2は、ヒドロキシル基；炭素原子数１ないし２２のアルキル基；枝分かれした炭素原子数３ないし２２のアルキル基；炭素原子数２ないし２２のアルケニル基；枝分かれした炭素原子数３ないし２２のアルケニル基及びそれらの混合物；炭素原子数１ないし２２のアルコキシ基；スルホ基又はカルボキシル基；式
【化５】
2007501306.tif 000006
で表わされる基；
式
【化６】
2007501306.tif 000007
で表わされる枝分かれしたアルコキシ基；式−（Ｔ1）d−（ＣＨ2）b（ＯＣＨ2ＣＨ2）a−Ｂ3で表わされるアルキルエチレンオキシ単位又は式ＣＯＯＲ18で表わされるエステルを表わし；
ここで、
Ｂ2は、水素原子；ヒドロキシル基；炭素原子数１ないし３０のアルキル基；炭素原子数１ないし３０のアルコキシ基；−ＣＯ2Ｈ；−ＣＨ2ＣＯＯＨ；−ＳＯ3-Ｍ1；−ＯＳＯ3-Ｍ1；−ＰＯ32-Ｍ1；−ＯＰＯ32-Ｍ1；及びそれらの混合物を表わし；
Ｂ3は、水素原子；ヒドロキシル基；−ＣＯＯＨ；−ＳＯ3-Ｍ1；−ＯＳＯ3-Ｍ1又は炭素原子数１ないし６のアルコキシ基を表わし；
Ｍ1は、水溶性カチオンを表わし；
Ｔ1は、−Ｏ−；又は−ＮＨ−を表わし；
Ｘ1及びＸ4は、互いに独立して、−Ｏ−；−ＮＨ−又は−Ｎ−炭素原子数１ないし５のアルキル基を表わし；
Ｒ11及びＲ12は、互いに独立して、水素原子；スルホ基及びその塩；カルボキシル基及びその塩又はヒドロキシル基を表わし；基Ｒ11及びＲ12の少なくとも１つは、スルホ基又
はカルボキシル基又はその塩を表わし、
Ｙ2は、−Ｏ−；−Ｓ−；−ＮＨ−又は−Ｎ−炭素原子数１ないし５のアルキル基を表わし；
Ｒ13及びＲ14は、互いに独立して、水素原子；炭素原子数１ないし６のアルキル基；ヒドロキシ−炭素原子数１ないし６のアルキル基；シアノ−炭素原子数１ないし６のアルキル基；スルホ−炭素原子数１ないし６のアルキル基；カルボキシ−又はハロゲン−炭素原子数１ないし６のアルキル基；未置換のフェニル基又はハロゲン原子、炭素原子数１ないし４のアルキル基又は炭素原子数１ないし４のアルコキシ基によって置換されたフェニル基；スルホ基又はカルボキシル基を表わすか、又はＲ13及びＲ14は、それらが結合されるところの窒素原子と一緒になって、飽和した５−又は６−員複素環を形成し、該複素環はまた、環員として、窒素原子又は酸素原子を更に含み得り；
Ｒ15及びＲ16は、互いに独立して、炭素原子数１ないし６のアルキル基又はアリール−炭素原子数１ないし６のアルキル基を表わし；
Ｒ17は、水素原子；未置換の炭素原子数１ないし６のアルキル基又はハロゲン原子、ヒドロキシル基、シアノ基、フェニル基、カルボキシル基、カルブ−炭素原子数１ないし６のアルコキシ基又は炭素原子数１ないし６のアルコキシ基で置換された炭素原子数１ないし６のアルキル基を表わし；
Ｒ18は、炭素原子数１ないし２２のアルキル基；枝分かれした炭素原子数３ないし２２のアルキル基；炭素原子数１ないし２２のアルケニル基又は枝分かれした炭素原子数３ないし２２のアルケニル基；炭素原子数３ないし２２のグリコール基；炭素原子数１ないし２２のアルコキシ基；枝分かれした炭素原子数３ないし２２のアルコキシ基；及びそれらの混合物を表わし；
Ｍは、水素原子；又はアルカリ金属イオン又はアンモニウムイオンを表わし；
Ｚ2-は、塩素原子；臭素原子；アルキル硫酸イオン又はアラルキル硫酸イオンを表わし；
ａは、０又は１を表わし；
ｂは、０ないし６を表わし；
ｃは、０ないし１００を表わし；
ｄは、０；又は１を表わし；
ｅは、０ないし２２を表わし；
ｖは、２ないし１２の整数を表わし；
ｗは、０又は１を表わし；
Ａ-は、有機又は無機アニオンを表わし、
ｓは、Ａ-が一価アニオンの場合、ｒと等しく、Ａ-が多価アニオンの場合、≦ｒであり、Ａs-は陽電荷を相殺する必要があり；ここで、ｒ≠１の場合、基Ｑ1は、同一であるか又は異なり得る。）で表わされる水溶性フタロシアニンであり、かつフタロシアニン環系はまた、更なる可溶性の基を含み得る。
【０００９】
式（１ａ）及び（１ｂ）における置換基Ｑ1及びＱ1の数は、それぞれ、同一であるか又は異なり得り、１ないし８であり、そして、それは、一般的にフタロシアニンの場合そうであるように整数である必要はない（置換の程度）。もしも、他の非カチオン性置換基が存在するならば、非カチオン性置換基とカチオン性置換基の合計は１ないし４である。分子中に存在すべき置換基の最少数は、水中に結果として生じる分子の溶解度によって決定される。十分な量のフタロシアニン化合物が溶解し、繊維に光力学的な触媒酸化がもたらされる場合、それは、水中に十分に溶解できる。０．０１ｍｇ／Ｌと同じくらい低い溶解度で十分であり得るが、０．００１ないし１ｇ／Ｌの溶解度が一般的に都合が良い。
【００１０】
ハロゲン原子は、フッ素原子、臭素原子、又は、特には塩素原子を意味する。
【００１１】
特に適当な基
【化７】
2007501306.tif 000008
は、
【化８】
2007501306.tif 000009
等である。
好ましいものは、基
【化９】
2007501306.tif 000010
である。
【００１２】
基
【化１０】
2007501306.tif 000011
における適当な複素環は、同様に、上記で列挙した基であり、他の置換基への結合は、単に、炭素原子を通して行われる。
【００１３】
これら置換基の全てにおいて、フェニル基、ナフチル基及び芳香族複素環は、１又は２つの更なる基によって、例えば、炭素原子数１ないし６のアルキル基、炭素原子数１ないし６のアルコキシ基、ハロゲン原子、カルボキシル基、カルブ−炭素原子数１ないし６のアルコキシ基、ヒドロキシル基、アミノ基、シアノ基、スルホ基、スルホンアミド基等によって置換され得る。
【００１４】
好ましいものは、炭素原子数１ないし６のアルキル基、炭素原子数１ないし６のアルコキシ基、ハロゲン原子、カルボキシル基、カルブ−炭素原子数１ないし６のアルコキシ基又はヒドロキシル基の群からの置換基である。
【００１５】
特に適当な基
【化１１】
2007501306.tif 000012
は、
【化１２】
2007501306.tif 000013
（式中、Ｂ1及びＲ6は、上記で定義したものと同様の意味を有する。）等である。
【００１６】
上記で言及した窒素複素環の全てはまた、環中の炭素原子上又は他の窒素原子上をアルキル基によって置換され得る。アルキル基は、好ましくは、メチル基である。
【００１７】
式（１ａ）中のＡs-は、分子の残部上の陽電荷に対する対イオンとしてのいずれかのアニオンである。一般的に、それは、製造方法（四級化）によって導入される。
それは、好ましくはハロゲンイオン、アルキル硫酸イオン又はアリール硫酸イオンである。言及され得るアリール硫酸イオンは、フェニルスルホン酸イオン、ｐ−トリルスルホン酸イオン及びｐ−クロロフェニルスルホン酸イオンである。しかしながら、アニオンは既知の方法で容易に交換され得るため、上記アニオンはまたいかなる他のアニオンでもあり得る；そのため、Ａs-はまた、硫酸イオン、亜硫酸イオン、炭酸イオン、リン酸イオン、硝酸イオン、酢酸イオン、蓚酸イオン、クエン酸イオン、乳酸イオン又は他の有機カルボン酸のアニオンでもあり得る。指数ｓは、一価アニオンにおいて、ｒと同様である。多価アニオンにおいて、ｓは、≦ｒの値を有し、この場合、それは、正確に分子の残部上の陽電荷を釣り合わせるように、条件に依存して選択されるべきである。
【００１８】
炭素原子数１ないし６のアルキル基及び炭素原子数１ないし６のアルコキシ基は、例えば、メチル基、エチル基、ｎ−プロピル基、イソプロピル基、ｎ−ブチル基、第二ブチル基、第三ブチル基、アミル基、イソアミル基、第三アミル基又はヘキシル基、又は、メトキシ基、エトキシ基、ｎ−プロポキシ基、イソプロポキシ基、ｎ−ブトキシ基、第二ブトキシ基、第三ブトキシ基、アミルオキシ基、イソアミルオキシ基、第三アミルオキシ基又はヘキシルオキシ基等の直鎖の又は枝分かれしたアルキル基又はアルコキシ基である。
【００１９】
炭素原子数２ないし２２のアルケニル基は、例えば、アリル基、メタリル基、イソプロペニル基、２−ブテニル基、３−ブテニル基、イソブテニル基、ｎ−ペンタ−２，４−ジエニル基、３−メチル−ブテ−２−エニル基、ｎ−オクテ−２−エニル基、ｎ−ドデセ−２−エニル基、イソドデセニル基、ｎ−ドデセ−２−エニル基又はｎ−オクタデセ−４−エニル基である。
【００２０】
式（１ａ）で表わされる好ましい光漂白剤は、式
【化１３】
2007501306.tif 000014
（式中、
ＰＣ、Ｘ2、Ｘ3及びＲ1は、上記で定義した通りであり、
Ｍは、水素原子；アルカリ金属イオン；アンモニウムイオン又はアミン塩イオンを表わし；
数ｒ1及びｒ2の合計は、１ないし４であり、
Ａs-は、分子の残部上の陽電荷と正確に釣り合う。）で表わされ、
特には、式
【化１４】
2007501306.tif 000015
［式中、
ＰＣは、式（１ａ）で定義した通りであり、
Ｒ1’は、炭素原子数２ないし６のアルキレン基を表わし；
ｒ1は、１ないし４の数を表わし；
Ｘ3’+は、式
【化１５】
2007501306.tif 000016
（式中、
Ｒ2及びＲ3は、互いに独立して、未置換の炭素原子数１ないし４のアルキル基、又はヒドロキシル基、シアノ基、ハロゲン原子又はフェニル基によって置換された炭素原子数１ないし４のアルキル基を表わし；
Ｒ4は、Ｒ2；シクロヘキシル基又はアミノ基を表わし；
Ｒ6は、炭素原子数１ないし４のアルキル基を表わし；
Ｒ16は、炭素原子数１ないし４のアルキル基；炭素原子数１ないし４のアルコキシ基；ハロゲン原子；カルボキシル基；カルブ−炭素原子数１ないし４のアルコキシ基又はヒドロキシル基を表わす。）で表わされる基を表わし、
Ａ’-は、ハリド；アルキル硫酸イオン又はアリール硫酸イオンを表わし、基−ＳＯ2ＮＨＲ’1−Ｘ3’+Ａ’-は同一であるか又は異なる。］で表わされる。
【００２１】
本発明に従って使用され得る他の光漂白剤は、式
【化１６】
2007501306.tif 000017
（式中、
ＰＣは、フタロシアニン環系を表わし；
Ｍｅは、Ｚｎ；Ｆｅ（ＩＩ）；Ｃａ；Ｍｇ；Ｎａ；Ｋ；Ａｌ−Ｚ1；Ｓｉ（ＩＶ）；Ｐ（Ｖ）；Ｔｉ（ＩＶ）；Ｇｅ（ＩＶ）；Ｃｒ（ＩＶ）；Ｇａ（ＩＩＩ）；Ｚｒ（ＩＶ）；Ｉｎ（ＩＩＩ）；Ｓｎ（ＩＶ）又はＨｆ（ＶＩ）を表わし；
Ｚ1は、ハリド；スルフェート；ニトレート；カルボキシレート；アルカノレート；又
はヒドロキシルイオンを表わし；
ｑは、０；１；又は２を表わし；
Ｙ3’は水素原子；アルカリ金属イオン又はアンモニウムイオンを表わし；
ｒは、１ないし４のいかなる数も表わす。）で表わされる。
【００２２】
非常に特に好ましいフタロシアニン化合物は、式（４ａ）
【化１７】
2007501306.tif 000018
（式中、
Ｍｅは、Ｚｎ又はＡｌ−Ｚ1を表わし；
Ｚ1は、ハリド；スルフェート；ニトレート；カルボキシレート；アルカノレート；又はヒドロキシルイオンを表わし、
ＰＣは、フタロシアニン環系を表わし；
ｑは、０；１；又は２を表わし；
Ｙ3’は水素原子；アルカリ金属イオン又はアンモニウムイオンを表わし；
ｒは、１ないし４のいかなる数も表わす。）で表わされる。
【００２３】
本発明に従って使用され得る他の興味深いフタロシアニン化合物は、式
【化１８】
2007501306.tif 000019
（式中、
ＰＣ、Ｍｅ及びｑは、式（４）で定義した通りであり；
Ｒ12’及びＲ13’は、互いに独立して、水素原子；フェニル基；スルホフェニル基；カルボキシフェニル基；炭素原子数１ないし６のアルキル基；ヒドロキシ−炭素原子数１ないし６のアルキル基；シアノ−炭素原子数１ないし６のアルキル基；スルホ−炭素原子数１ないし６のアルキル基；カルボキシ−炭素原子数１ないし６のアルキル基又は又はハロゲン−炭素原子数１ないし６のアルキル基を表わすか、又はＲ12’及びＲ13’は、窒素原子と一緒になって、モルホリン環を形成し；
ｑ’は、２ないし６の整数を表わし；
ｒは、１ないし４の数を表わし、ｒが＞１の場合、分子中に存在する基
【化１９】
2007501306.tif 000020
は、同一又は異なり得る。）で表される。
【００２４】
本発明に従って使用され得る更に興味深いフタロシアニン化合物は、式
【化２０】
2007501306.tif 000021
（式中、
ＰＣ、Ｍｅ及びｑは、式（４）で定義した通りであり、
Ｙ3’は水素原子；アルカリ金属イオン又はアンモニウムイオンを表わし、
ｑ’は、２ないし６の整数を表わし；
Ｒ12’及びＲ13’は、互いに独立して、水素原子；フェニル基；スルホフェニル基；カルボキシフェニル基；炭素原子数１ないし６のアルキル基；ヒドロキシ−炭素原子数１ないし６のアルキル基；シアノ−炭素原子数１ないし６のアルキル基；スルホ−炭素原子数１ないし６のアルキル基；カルボキシ−炭素原子数１ないし６のアルキル基又は又はハロゲン−炭素原子数１ないし６のアルキル基を表わすか、又はＲ12’及びＲ13’は、窒素原子と一緒になって、モルホリン環を形成し；
ｍ’は、０又は１を表わし；
ｒ及びｒ1は、互いに独立して、０．５ないし３のいかなる数も表わし、ｒ＋ｒ1の合計は少なくとも１であるが、４以上ではない。）で表わされる。
【００２５】
もしも、フタロシアニン環における中心原子ＭｅがＳｉ（ＩＶ）であるならば、本発明に従って使用されるフタロシアニンはまた、フタロシアニン環のフェニル環上の置換基に加えて、アキシアル置換基（＝Ｒ19）も有し得る。このようなフタロシアニンは、例えば、式
【化２１】
2007501306.tif 000022
（式中、
Ｒ19は、ヒドロキシル基；炭素原子数１ないし２２のアルキル基；枝分かれした炭素原子数３ないし２２のアルキル基；炭素原子数１ないし２２のアルケニル基；枝分かれした炭素原子数３ないし２２のアルケニル基及びそれらの混合物；炭素原子数１ないし２２のアルコキシ基；スルホ基又はカルボキシル基；式
【化２２】
2007501306.tif 000023
で表わされる基；
式
【化２３】
2007501306.tif 000024
で表わされる枝分かれしたアルコキシ基；式−（Ｔ1）d−（ＣＨ2）b（ＯＣＨ2ＣＨ2）a−Ｂ3で表わされるアルキルエチレンオキシ単位又は式ＣＯＯＲ18で表わされるエステルを表わし；
Ｕは、［Ｑ1］r+Ａs-；又はＱ2を表わし、ここで、
Ｒ11、Ｒ12、Ｒ13、Ｒ14、Ｒ15、Ｒ16、Ｒ17、Ｒ18、Ｂ2、Ｂ3、Ｍ、Ｑ1、Ｑ2、Ａ-、Ｔ1、Ｘ1、Ｘ4、Ｙ2、Ｚ2-、ａ、ｂ、ｃ、ｄ、ｅ、ｒ、ｓ、ｖ、ｗは、式（１ａ）及び（１ｂ）において定義した通りである。）で表わされる。
【００２６】
特に好ましいフタロシアニン化合物は、市販で入手でき、かつ洗剤組成物中に使用されるような化合物である。通常、アニオン性フタロシアニン化合物は、アルカリ金属塩、特にナトリウム塩の形態にある。
【００２７】
適当なアゾ染料は、例えば、式
【化２４】
2007501306.tif 000025
（式中、
Ｘ及びＹは、互いに独立して、それぞれ、水素原子；炭素原子数１ないし４のアルキル基又は炭素原子数１ないし４のアルコキシ基を表わし、
Ｒαは、水素原子又はアリール基を表わし、
Ｚは、炭素原子数１ないし４のアルキル基；炭素原子数１ないし４のアルコキシ基；ハロゲン原子；ヒドロキシル基又はカルボキシル基を表わし、
ｎは、１又は２を表わし、
ｍは、０、１又は２を表わす。）で表わされる米国特許第５２１１７１９号明細書に記載されているようなもの、並びにそれらの相当する塩及びそれらの混合物である。
【００２８】
好ましくは、前記アゾ色素は、以下の式
【化２５】
2007501306.tif 000026
で表わされる化合物である。
【００２９】
好ましくは、前記トリフェニルメタン色素は、以下の式
【化２６】
2007501306.tif 000027
【化２７】
2007501306.tif 000028
で表わされる化合物である。
【００３０】
本発明の好ましい態様は、少なくとも１種のフタロシアニン化合物、及び少なくとも１種の式
【化２８】
2007501306.tif 000029
（式中、
Ｘ及びＹは、互いに独立して、それぞれ、水素原子；炭素原子数１ないし４のアルキル基又は炭素原子数１ないし４のアルコキシ基を表わし、
Ｒαは、水素原子又はアリール基を表わし、
Ｚは、炭素原子数１ないし４のアルキル基；炭素原子数１ないし４のアルコキシ基；ハロゲン原子；ヒドロキシル基又はカルボキシル基を表わし、
ｎは、１又は２を表わし、
ｍは、０、１又は２を表わす。）で表わされるアゾ色素、並びにそれらの相当する塩及びそれらの混合物、及び／又は少なくとも１種の式（Ｄ）、（Ｅ）、（Ｆ）、（Ｇ）、（Ｈ）及び／又は（Ｉ）で表わされるトリフェニルメタン色素を含む組成物であって、２２０−３２０°の相対色相角を示し、かつ該組成物が光に曝露される場合、該色素成分が分解する組成物である。
【００３１】
本発明のより好ましい態様は、少なくとも１種の式（１ａ）、（１ｂ）、（２ａ）、（３）、（４）、（４ａ）、（５）、（６）及び／又は（７）で表わされるフタロシアニン化合物、及び少なくとも１種の式（Ａ）、（Ｂ）及び／又は（Ｃ）で表わされるアゾ色素、及び／又は少なくとも１種の式（Ｄ）、（Ｅ）、（Ｆ）、（Ｇ）、（Ｈ）及び／又は（Ｉ）で表わされるトリフェニルメタン色素を含む組成物であって、２２０−３２０°の相対色相角を示し、かつ該組成物が日光に曝露される場合、該色素成分が分解する組成物である。
【００３２】
少なくとも１種の光触媒及び少なくとも１種のアゾ色素及び／又は少なくとも１種のトリフェニルメタン色素を含む組成物は、固体又は液状配合物において使用され得る。
【００３３】
更なる態様は、少なくとも１種の光触媒及び少なくとも１種のアゾ色素及び／又は少なくとも１種のトリフェニルメタン色素を含む組成物を含む固体配合物である。
【００３４】
本発明の好ましい態様は、
少なくとも１種のフタロシアニン化合物、及び
少なくとも１種の式
【化２９】
2007501306.tif 000030
（式中、
Ｘ及びＹは、互いに独立して、それぞれ、水素原子；炭素原子数１ないし４のアルキル基又は炭素原子数１ないし４のアルコキシ基を表わし、
Ｒαは、水素原子又はアリール基を表わし、
Ｚは、炭素原子数１ないし４のアルキル基；炭素原子数１ないし４のアルコキシ基；ハロゲン原子；ヒドロキシル基又はカルボキシル基を表わし、
ｎは、１又は２を表わし、
ｍは、０、１又は２を表わす。）で表わされるアゾ色素、並びにそれらの相当する塩及びそれらの混合物、及び／又は、
少なくとも１種の式（Ｄ）、（Ｅ）、（Ｆ）、（Ｇ）、（Ｈ）及び／又は（Ｉ）で表わされるトリフェニルメタン色素、
を含む少なくとも１種の組成物を含む固体配合物である。
【００３５】
本発明のより好ましい態様は、
少なくとも１種のフタロシアニン化合物、及び
少なくとも１種の式（Ａ）、（Ｂ）及び／又は（Ｃ）で表わされるアゾ色素、及び／又は、
少なくとも１種の式（Ｄ）、（Ｅ）、（Ｆ）、（Ｇ）、（Ｈ）及び／又は（Ｉ）で表わされるトリフェニルメタン色素、
を含む少なくとも１種の組成物を含む固体配合物である。
【００３６】
本発明の好ましい態様は、
少なくとも１種の式（１ａ）、（１ｂ）、（２ａ）、（３）、（４）、（４ａ）、（５）、（６）及び／又は（７）で表わされるフタロシアニン化合物、及び
少なくとも１種の式（Ａ）、（Ｂ）及び／又は（Ｃ）で表わされるアゾ色素、及び／又は
少なくとも１種の式（Ｄ）、（Ｅ）、（Ｆ）、（Ｇ）、（Ｈ）及び／又は（Ｉ）で表わされるトリフェニルメタン色素
を含む組成物を含む固体配合物である。
【００３７】
粒質物が、固体配合物として好ましい。
本発明はまた、粒質物であって、
ａ）前記粒質物の総質量に基づき、２ないし７５質量％の、上記で定義した少なくとも１種の水溶性フタロシアニン化合物及び少なくとも１種のアゾ色素及び／又は少なくとも１種のトリフェニルメタン色素を含む少なくとも１種の組成物、
ｂ）前記粒質物の総質量に基づき、１０ないし９５質量％の少なくとも１種の更なる添加剤、及び
ｃ）前記粒質物の総質量に基づき、０ないし１５質量％の水
を含む粒質物に関する。
成分ａ）−ｃ）の質量％の合計は、常に１００％である。
【００３８】
上記で定義したフタロシアニン、アゾ色素及びトリフェニルメタン色素として好ましいものはまた、固体及び／又は粒状配合物のためにも適用される。
【００３９】
本発明の好ましい態様は、粒質物であって、
ａ）前記粒質物の総質量に基づき、２ないし７５質量％の組成物であって、
上記で定義した、
少なくとも１種のフタロシアニン化合物、及び
少なくとも１種の式
【化３０】
2007501306.tif 000031
（式中、
Ｘ及びＹは、互いに独立して、それぞれ、水素原子；炭素原子数１ないし４のアルキル基又は炭素原子数１ないし４のアルコキシ基を表わし、
Ｒαは、水素原子又はアリール基を表わし、
Ｚは、炭素原子数１ないし４のアルキル基；炭素原子数１ないし４のアルコキシ基；ハロゲン原子；ヒドロキシル基又はカルボキシル基を表わし、
ｎは、１又は２を表わし、
ｍは、０、１又は２を表わす。）で表わされるアゾ色素、並びにそれらの相当する塩及びそれらの混合物、及び／又は、
少なくとも１種の式（Ｄ）、（Ｅ）、（Ｆ）、（Ｇ）、（Ｈ）及び／又は（Ｉ）で表わされるトリフェニルメタン色素
を含む組成物、
ｂ）前記粒質物の総質量に基づき、１０ないし９５質量％の少なくとも１種の更なる添加剤、及び
ｃ）前記粒質物の総質量に基づき、０ないし１５質量％の水
を含む粒質物に関する。
【００４０】
本発明のより好ましい態様は、粒質物であって、
ａ）前記粒質物の総質量に基づき、２ないし７５質量％の少なくとも１種の組成物であって、
上記で定義した、
少なくとも１種の式（１ａ）、（１ｂ）、（２ａ）、（３）、（４）、（４ａ）、（５）、（６）及び／又は（７）で表わされるフタロシアニン化合物、及び
少なくとも１種の式（Ａ）、（Ｂ）及び／又は（Ｃ）で表わされるアゾ色素、及び／又
は
少なくとも１種の式（Ｄ）、（Ｅ）、（Ｆ）、（Ｇ）、（Ｈ）及び／又は（Ｉ）で表わされるトリフェニルメタン色素
を含む組成物、
ｂ）前記粒質物の総質量に基づき、１０ないし９５質量％の少なくとも１種の更なる添加剤、及び
ｃ）前記粒質物の総質量に基づき、０ないし１５質量％の水
を含む粒質物に関する。
【００４１】
本発明に従った粒質物は、カプセル化され得るか又はされ得ない。
カプセル化材料は、特に、水溶性及び水分散性ポリマー及びワックスを含む。これらの材料の内、好ましいものは、ポリエチレングリコール、ポリアミド、ポリアクリルアミド、ポリビニルアルコール、ポリビニルピロリドン、ゼラチン、加水分解ポリ酢酸ビニル、ビニルピロリドンと酢酸ビニルのコポリマー、及びまた、ポリアクリレート、パラフィン、脂肪酸、エチルアクリレートとメタクリレート及びメタクリル酸のコポリマー、及びポリメタクリレートである。
【００４２】
本発明に従った粒質物は、前記粒質物の総質量に基づき、２ないし７５質量％、好ましくは２ないし６０質量％、特に５ないし５５質量％の成分ａ）を含む。
【００４３】
本発明に従った配合物中の粒質物は、前記粒質物の総質量に基づき、１０ないし９５質量％、好ましくは１０ないし８５質量％、特に１０ないし８０質量％の少なくとも１種の更なる添加剤（成分ｃ））を含む。
このような更なる添加剤は、アニオン性又は非イオン性分散剤；水溶性有機ポリマー；無機塩；低分子量有機酸又はその塩；湿潤剤；例えば、粉末状又は繊維状セルロース、微晶質セルロース等の錠剤分解物質；例えば、デキストリン等の充填剤；非水溶性又は水溶性染料又は顔料；及びまた、溶解促進剤及び蛍光増白剤であり得る。ゼオライト等の珪酸アルミニウム、及びまた、タルク、カオリン、ＴｉＯ2、ＳｉＯ2又は三珪酸マグネシウム等の化合物もまた、少量で使用され得る。
【００４４】
使用されるアニオン性分散剤は、例えば、市販で入手可能な、染料、顔料等のための水溶性アニオン性分散剤である。
以下の生成物が特に考慮される：芳香族スルホン酸とホルムアルデヒドの縮合生成物、芳香族スルホン酸と未置換の又は塩素化ビフェニル又は酸化ビフェニル及び所望によるホルムアルデヒドの縮合生成物、（モノ−／ジ−）アルキルナフタレンスルホネート、重合有機スルホン酸のナトリウム塩、重合アルキルナフタレンスルホン酸のナトリウム塩、重合アルキルベンゼンスルホン酸のナトリウム塩、アルキルアリールスルホネート、アルキルポリグリコールエーテルスルフェートのナトリウム塩、ポリアルキル化多核アリールスルホネート、アリールスルホン酸及びヒドロキシアリールスルホン酸のメチレン結合縮合生成物、ジアルキルスルホ琥珀酸のナトリウム塩、アルキルジグリコールエーテルスルフェートのナトリウム塩、ポリナフタレンメタンスルホネートのナトリウム塩、リグノ−又はオクシリグノ−スルホネート又は複素環ポリスルホン酸。
【００４５】
特に適当なアニオン性分散剤は、ナフタレンスルホン酸とホルムアルデヒドの縮合生成物、重合有機スルホン酸のナトリウム塩、（モノ−／ジ−）アルキルナフタレンスルホネート、ポリアルキル化多核アリールスルホネート、重合アルキルベンゼンスルホン酸のナトリウム塩、リグノスルホネート、オキシリグノスルホネート及びナフタレンスルホン酸とポリクロロメチルビフェニルの縮合生成物である。
【００４６】
適当な非イオン性分散剤は、特に、乳化性、分散性又は可溶性の、好ましくは少なくと
も３５℃の融点を有する化合物、例えば以下の化合物である：
１．８ないし２２個の炭素原子を有する脂肪アルコール、特にセチルアルコール；
２．好ましくは、２ないし８０モルのアルキレンオキシド、特にエチレンオキシド（ここで、エチレンオキシド単位のいくつかは、スチレンオキシド及び／又はプロピレンオキシドのような、置換エポキシドによって置き換えられ得る）と、８ないし２２個の炭素原子を有する高級不飽和又は飽和モノアルコール、脂肪酸、脂肪アミン又は脂肪アミドの、又はベンジルアルコール、フェニルフェノール、ベンジルフェノール又はアルキルフェノール（アルキル基は、少なくとも４個の炭素原子有する。）の付加生成物；
３．アルキレンオキシド、特にプロピレンオキシド、縮合生成物（ブロックポリマー）；
４．ジアミン、特にジアミンエチレンとのエチレンオキシド／プロピレンオキシド付加物；
５．８ないし２２個の炭素原子を有する脂肪酸と少なくとも１種のヒドロキシ−低級アルキル基又は低級アルコキシ−低級アルキル基を有する第一又は第二アミンの反応生成物、又は、このようなヒドロキシアルキル基含有反応生成物のアルキレンオキシド付加生成物；
６．好ましくは、長鎖エステル基を有するソルビタンエステル、又はエトキシ化ソルビタンエステル、例えば、４ないし１０個のエチレンオキシド単位を有するポリオキシエチレンソルビタンモノラウレート又は４ないし２０個のエチレンオキシド単位を有するポリオキシエチレンソルビタントリオレエート；
７．プロピレンオキシドと３ないし６個の炭素原子を有する三価ないし六価の脂肪族アルコール、例えばグリセロール又はペンタエリトリトールの付加生成物；及び、
８．脂肪アルコールポリグリコール混合エーテル、特に、３ないし３０モルのエチレンオキシド及び３ないし３０モルのプロピレンオキシドと８ないし２２個の炭素原子を有する脂肪族モノアルコールの付加生成物。
【００４７】
特に適当な非イオン性分散剤は、式
Ｒ20−Ｏ−（アルキレン−Ｏ）n−Ｒ21  （８）
（式中、
Ｒ20は、炭素原子数８ないし２２のアルキル基又は炭素原子数８ないし１８のアルケニル基を表わし；
Ｒ21は、水素原子；炭素原子数１ないし４のアルキル基；少なくとも６個の炭素原子を有する脂環式基又はベンジル基を表わし；
‘‘アルキレン’’は、２ないし４個の炭素原子を有するアルキレン基を表わし、
ｎは、１ないし６０の数を表わす。）で表わされる界面活性剤である。
【００４８】
式（８）における置換基Ｒ20及びＲ21は、有利には、それぞれ、８ないし２２個の炭素原子を有する不飽和の、又は好ましくは飽和した脂肪族モノアルコールの炭化水素基を表わす。前記炭化水素基は、直鎖であるか又は枝分かれであり得る。Ｒ20及びＲ21は、好ましくは、それぞれ互いに独立して、９ないし１４個の炭素原子を有するアルキル基を表わす。
【００４９】
考慮される脂肪族飽和モノアルコールは、天然アルコール、例えば、ラウリルアルコール、ミリスチルアルコール、セチルアルコール又はステアリルアルコール、及びまた、合成アルコール、例えば、２−エチルヘキサノール、１，１，３，３−テトラメチルブタノール、オクタン−２−オール、イソノニルアルコール、トリメチルヘキサノール、トリメチルノニルアルコール、デカノール、炭素原子数９ないし１１のオキソアルコール、トリデシルアルコール、イソトリデシルアルコール及び８ないし２２個の炭素原子を有する線状第一アルコール（アルフォール）を含む。このようなアルフォールのいくつかの例は、アルフォール（８−１０）、アルフォール（９−１１）、アルフォール（１０−１４）、
アルフォール（１２−１３）及びアルフォール（１６−１８）である（‘‘アルフォール’’は、登録商標である。）。
【００５０】
不飽和脂肪族モノアルコールは、例えば、ドデセニルアルコール、ヘキサデセニルアルコール及びオレイルアルコールである。
【００５１】
アルコール基は、単独で、又は２つ以上の成分の混合物、例えば、大豆脂肪酸、パーム核脂肪酸又は牛脂油から誘導されるアルキル及び／又はアルケニル基の混合物の形態で存在し得る。
【００５２】
（アルキレン−Ｏ）鎖は、好ましくは、式
【化３１】
2007501306.tif 000032
で表わされる２価の基である。
【００５３】
脂環式基の例は、シクロヘプチル基、シクロオクチル基、及び、好ましくはシクロヘキシル基である。
非イオン性分散剤として、好ましくは、式
【化３２】
2007501306.tif 000033
（式中、
Ｒ22は、炭素原子数８ないし２２のアルキル基を表わし；
Ｒ23は、水素原子又は炭素原子数１ないし４のアルキル基を表わし；
Ｙ1、Ｙ2、Ｙ3及びＹ4は、それぞれ互いに独立して、水素原子；メチル基又はエチル基を表わし；
ｎ2は、０ないし８の数を表わし；
ｎ3は、２ないし４０の数を表わす。）で表わされる界面活性剤が考慮される。
【００５４】
更に重要な非イオン性分散剤は、式
【化３３】
2007501306.tif 000034
（式中、
Ｒ24は、炭素原子数９ないし１４のアルキル基を表わし；
Ｒ25は、炭素原子数１ないし４のアルキル基を表わし；
Ｙ5、Ｙ6、Ｙ7及びＹ8は、それぞれ互いに独立して、水素原子；メチル基又はエチル基を表わし、基Ｙ5、Ｙ6の１つ及び基Ｙ7、Ｙ8の１つは、常に、水素原子を表わし；
ｎ4及びｎ5は、それぞれ互いに独立して、４ないし８の整数を表わす。）に相当する。
【００５５】
式（８）ないし（１０）で表わされる非イオン性分散剤はまた、混合物の形態でも使用され得る。例えば、界面活性剤混合物としては、末端に末端基を有さない式（８）で表わされる脂肪アルコールエトキシレート、例えば、Ｒ20が炭素原子数８ないし２２のアルキ
ル基を表わし、Ｒ21が水素原子を表わし、かつアルキレン−Ｏ鎖が基−（ＣＨ2−ＣＨ2−Ｏ）−を表わす式（８）で表わされる化合物、及びまた、末端に末端基を有する式（１０）で表わされる脂肪アルコールエトキシレートが考慮される。
【００５６】
式（８）、（９）及び（１０）で表わされる非イオン性分散剤の例は、炭素原子数１０ないし１３の脂肪アルコール、例えば、炭素原子数１３のオキソアルコールと３ないし１０モルのエチレンオキシド、プロピレンオキシド及び／又はブチレンオキシドの反応生成物、又は、１モルの炭素原子数１３の脂肪アルコールと６モルのエチレンオキシド及び１モルのブチレオキシドの反応生成物を含み、それぞれの付加生成物は、炭素原子数１ないし４のアルキル基、好ましくはメチル基又はブチル基を末端に末端基として有することもできる。
【００５７】
このような分散剤は、単独で又は２つ以上の分散剤の混合物の形態で使用され得る。
【００５８】
分散剤の代わりに、又は分散剤に加えて、本発明に従った粒質物は、分散性も有し得る水溶性有機ポリマーを含み得る。このようなポリマーは、単独で又は２つ以上のポリマーの混合物として使用され得る。水溶性ポリマー（フィルム形成性を有し得るが、必ずしも有する必要はない）としては、例えば、ゼラチン、ポリアクリレート、ポリメタクリレート、エチルアクリレート、メチルメタクリレート及びメタクリル酸（アンモニウム塩）のコポリマー、ポリビニルピロリドン、ビニルピロリドン、酢酸ビニル、ビニルピロリドンと長鎖オレフィンのコポリマー、ポリ（ビニルピロリドン／ジメチルアミノエチルメタクリレート）、ビニルピロリドン／ジメチルアミノプロピルメタクリルアミドのコポリマー、ビニルピロリドン／ジメチルアミノプロピルアクリルアミドのコポリマー、ビニルピロリドン及びジメチルアミノエチルメタクリレートの四級化コポリマー、ビニルカプロラクタム／ビニルピロリドン／ジメチルアミノエチルメタクリレートのターポリマー、ビニルピロリドン及びメタクリルアミドプロピルトリメチルアンモニウムクロリドのコポリマー、カプロラクタム／ビニルピロリドン／ジメチルアミノエチルメタクリレートのターポリマー、スチレン及びアクリル酸のコポリマー、ポリカルボン酸、ポリアクリルアミド、カルボキシメチルセルロース、ヒドロキシメチルセルロース、ポリビニルアルコール、加水分解及び非加水分解酢酸ポリビニル、マレイン酸と不飽和炭化水素のコポリマー、及びまた、言及したポリマーの混合重合生成物が考慮される。更に適当な物質は、ポリエチレングリコール（ＭＷ＝２０００−２００００）、エチレンオキシドとポリプロピレンオキシドのコポリマー（ＭＷ＞３５００）、アルキレンオキシド、特にプロピレンオキシドの縮合生成物（ブロック重合生成物）、ビニルピロリドンと酢酸ビニルのコポリマー、ジアミン、特にエチレンジアミンとのエチレンオキシド−プロピレンオキシド付加生成物、ポリスチレンスルホン酸、ポリエチレンスルホン酸、アクリル酸とスルホン化スチレンのコポリマー、アラビアゴム、ヒドロキシプロピルメチルセルロース、カルボキシメチルセルロースナトリウム、ヒドロキシプロピルメチルセルロースフタレート、マルトデキストリン、澱粉、スクロース、ラクトース、‘‘イソマルト’’の名前で入手可能な、酵素で変性させ、その後加水分解した糖、甘蔗糖、ポリアスパラギン酸及びトラガカントである。
【００５９】
これら水溶性有機ポリマーの内、特に好ましいものは、カルボキシメチルセルロース、ポリアクリルアミド、ポリビニルアルコール、ポリビニルピロリドン、ゼラチン、加水分解ポリ酢酸ビニル、ビニルピロリドン及び酢酸ビニルのコポリマー、マルトデキストリン、ポリアスパラギン酸、及びまた、ポリアクリレート及びポリメタクリレートである。
【００６０】
無機塩としての使用のために、好ましくはアルカリ金属塩の形態の、炭酸塩、炭酸水素塩、リン酸塩、ポリリン酸塩、硫酸塩、珪酸塩、亜硫酸塩、硼酸塩、ハロゲン化物及びピロリン酸塩が考慮される。好ましいものは、例えば、アルカリ金属塩化物、アルカリリン酸塩、アルカリ炭酸塩、アルカリポリリン酸塩及びアルカリ硫酸塩等の水溶性の塩、及び
洗剤及び／又は洗剤添加剤配合物中に使用される水溶性の塩である。
【００６１】
低分子量酸としては、例えば、モノ−又はポリ−カルボン酸が考慮される。特に興味深いものは、脂肪族カルボン酸、特に合計１ないし１２個の炭素原子を有するものである。好ましい酸は、脂肪族の炭素原子数１ないし１２のモノ−又はポリ−カルボン酸であり、モノカルボン酸は、特に、合計で少なくとも３個の炭素原子を有するものである。カルボン酸の置換基としては、例えば、ヒドロキシ基及びアミノ基、特にヒドロキシ基が考慮される。特に好ましいものは、脂肪族の炭素原子数２ないし１２のポリカルボン酸、特に脂肪族の炭素原子数２ないし６のポリカルボン酸である。非常に特に好ましいものは、ヒドロキシ基で置換された脂肪族の炭素原子数２ないし６のポリカルボン酸である。これらの化合物は、遊離酸又は塩、特にアルカリ塩の形態で使用され得る。
【００６２】
アミノポリカルボン酸塩（例えば、エチレンジアミンテトラ酢酸ナトリウム）、フィチン酸塩、ホスホン酸塩、アミノポリホスホン酸塩（例えば、エチレンジアミンテトラホスホン酸ナトリウム）、アミノアルキレンポリ（アルキレンホスホン酸塩）、ポリホスホン酸塩、ポリカルボン酸塩又は水溶性ポリシロキサンもまた使用され得る。
【００６３】
低分子量有機酸及びその塩の例としては、蓚酸、酒石酸、酢酸、プロピオン酸、琥珀酸、マレイン酸、クエン酸、蟻酸、グルコン酸、ｐ−トルエンスルホン酸、テレフタル酸、安息香酸、フタル酸、アクリル酸及びポリアクリル酸が言及され得る。
【００６４】
蛍光増白剤は、４，４’−ビス−（トリアジニルアミノ）−スチルベン−２，２’−ジスルホン酸、４，４’−ビス−（トリアゾール−２−イル）スチルベン−２，２’−ジスルホン酸、４，４’−（ジフェニル）−スチルベン、４，４’−ジスチリル−ビフェニル、４−フェニル−４’−ベンズオキサゾリル−スチルベン、スチルべニル−ナフトトリアゾール、４−スチリル−スチルベン、ビス−（ベンズオキサゾール−２−イル）誘導体、ビス−（ベンズイミダゾール−２−イル）誘導体、クマリン、ピラゾリン、ナフタルイミド、トリアジニル−ピレン、２−スチリル−ベンズオキサゾール又は−ナフトオキサゾール誘導体、ベンズイミダゾール−ベンゾフラン誘導体又はオキサニリド誘導体等の広い範囲の化学物質類から選択され得る。
【００６５】
特に水性の織物仕上げ用組成物である組成物の使用に関して、好ましい４，４’−ビス−（トリアジニルアミノ）−スチルベン−２，２’−ジスルホン酸は、式（１１）
【化３４】
2007501306.tif 000035
（式中、
Ｒ26及びＲ27は、互いに独立して、フェニル基；モノ−又はジスルホン化フェニル基；フェニルアミノ基；モノ−又はジスルホン化フェニルアミノ基；モルホリノ基；−Ｎ（ＣＨ2ＣＨ2ＯＨ）2；−Ｎ（ＣＨ3）（ＣＨ2ＣＨ2ＯＨ）；−ＮＨ2；−Ｎ（炭素原子数１ないし４のアルキル基）2；−ＯＣＨ3；−Ｃｌ；−ＮＨ−ＣＨ2ＣＨ2ＳＯ3Ｈ又は−ＮＨ−ＣＨ2ＣＨ2ＯＨを表わし；
Ｍは、Ｈ；Ｎａ；Ｋ；Ｃａ；Ｍｇ；アンモニウム；モノ−、ジ−、トリ−又はテトラ−炭素原子数１ないし４のアルキルアンモニウム；モノ−、ジ−又はトリ−炭素原子数１ないし４のヒドロキシアルキルアンモニウム又は炭素原子数１ないし４のアルキル基及び炭
素原子数１ないし４のヒドロキシアルキル基の混合物でジ−又はトリ−置換されたアンモニウムを表わす。）で表わされるものである。
【００６６】
特に好ましい式（１１）で表わされる化合物は、各Ｒ26が２，５−ジスルホフェニル基を表わし、かつ各Ｒ27がモルホリノ基を表わすか；又は、各Ｒ26が２，５−ジスルホフェニル基を表わし、かつ各Ｒ27がＮ（Ｃ2Ｈ5）2を表わすか；又は、各Ｒ26が３−スルホフェニル基を表わし、かつ各Ｒ27がＮＨ（ＣＨ2ＣＨ2ＯＨ）又はＮ（ＣＨ2ＣＨ2ＯＨ）2を表わすか；又は、各Ｒ26が４−スルホフェニル基を表わし、かつ各Ｒ27がＮ（ＣＨ2ＣＨ2ＯＨ）2を表わし；かつ、各場合において、スルホ基がＳＯ3Ｍ（式中、Ｍはナトリウムを表わす。）であるものである。
【００６７】
好ましい４，４’−ビス−（トリアゾール−２−イル）スチルベン−２，２’−ジスルホン酸は、式（１２）
【化３５】
2007501306.tif 000036
（式中、
Ｒ28及びＲ29は、互いに独立して、Ｈ；炭素原子数１ないし４のアルキル基；フェニル基又はモノスルホン化フェニル基を表わし；
Ｍは、Ｈ；Ｎａ；Ｋ；Ｃａ；Ｍｇ；アンモニウム；モノ−、ジ−、トリ−又はテトラ−炭素原子数１ないし４のアルキルアンモニウム；モノ−、ジ−又はトリ−炭素原子数１ないし４のヒドロキシアルキルアンモニウム又は炭素原子数１ないし４のアルキル基及び炭素原子数１ないし４のヒドロキシアルキル基の混合物でジ−又はトリ−置換されたアンモニウムを表わす。）で表わされるものである。
【００６８】
特に好ましい式（１２）で表わされる化合物は、Ｒ28がフェニル基を表わし、Ｒ29がＨを表わし、かつＭがナトリウムを表わすものである。
【００６９】
好ましい４，４’−（ジフェニル）−スチルベンの１つは、式（１３）
【化３６】
2007501306.tif 000037
で表わされるものである。
好ましくは、使用される４，４’−ジスチリル−ビフェニルは、式（１４）
【化３７】
2007501306.tif 000038
［式中、
Ｒ30及びＲ31は、互いに独立して、Ｈ；ＳＯ3Ｍ；−ＳＯ2Ｎ（炭素原子数１ないし４のアルキル）2；Ｏ−（炭素原子数１ないし４のアルキル）；ＣＮ；Ｃｌ；ＣＯＯ（炭素原子数１ないし４のアルキル）；ＣＯＮ（炭素原子数１ないし４のアルキル）2又はＯ（Ｃ
Ｈ2）3Ｎ(+)（ＣＨ3）2Ａｎ(-)（式中、Ａｎ(-)は、有機又は無機酸のアニオン、特にホルメート、アセテート、プロピオネート、グリコレート、ラクテート、アクリレート、メタンホスホネート、ホスフィット、スルホネート、ジメチル又はジエチルホスフィットアニオン、又はそれらの混合物を表わす。）を表わし、
ｎは、０又は１を表わし、
Ｍは、Ｈ；Ｎａ；Ｋ；Ｃａ；Ｍｇ；アンモニウム；モノ−、ジ−、トリ−又はテトラ−炭素原子数１ないし４のアルキルアンモニウム；モノ−、ジ−又はトリ−炭素原子数１ないし４のヒドロキシアルキルアンモニウム又は炭素原子数１ないし４のアルキル基及び炭素原子数１ないし４のヒドロキシアルキル基の混合物でジ−又はトリ−置換されたアンモニウムを表わす。］で表わされるものである。
【００７０】
特に好ましい式（１４）で表わされる化合物は、ｎが１を表わし、各Ｒ30が２−ＳＯ3Ｍ基（式中、Ｍはナトリウムを表わす。）を表わし、かつ各Ｒ31がＨを表わすか、又は各Ｒ31が−Ｏ（ＣＨ2）3Ｎ(+)（ＣＨ3）2Ａｎ(-)（式中、Ａｎ(-)は、アセテートを表わす。）を表わすものである。
【００７１】
好ましい４−フェニル−４’−ベンズオキサゾリル−スチルベンは、式（１５）
【化３８】
2007501306.tif 000039
（式中、
Ｒ32及びＲ33は、互いに独立して、Ｈ；Ｃｌ；炭素原子数１ないし４のアルキル基又は−ＳＯ2−炭素原子数１ないし４のアルキル基を表わす。）で表わされるものである。
【００７２】
特に好ましい式（１５）で表わされる化合物は、Ｒ32が４−ＣＨ3を表わし、Ｒ33が２−ＣＨ3を表わすものである。
【００７３】
好ましくは、使用されるスチルべニル−ナフトトリアゾールは、式（１６）
【化３９】
2007501306.tif 000040
（式中、
Ｒ34は、Ｈ又はＣｌを表わし；
Ｒ35は、−ＳＯ3Ｍ；−ＳＯ2Ｎ（炭素原子数１ないし４のアルキル）2；−ＳＯ2Ｏ−フェニル基又は−ＣＮを表わし；
Ｒ36は、Ｈ又は−ＳＯ3Ｍを表わし；
Ｍは、Ｈ；Ｎａ；Ｋ；Ｃａ；Ｍｇ；アンモニウム；モノ−、ジ−、トリ−又はテトラ−炭素原子数１ないし４のアルキルアンモニウム；モノ−、ジ−又はトリ−炭素原子数１ないし４のヒドロキシアルキルアンモニウム又は炭素原子数１ないし４のアルキル基及び炭素原子数１ないし４のヒドロキシアルキル基の混合物でジ−又はトリ−置換されたアンモニウムを表わす。）で表わされるものである。
【００７４】
特に好ましい式（１６）で表わされる化合物は、Ｒ34及びＲ35がＨを表わし、かつＲ36
が２−ＳＯ3Ｍ（式中、ＭはＮａを表わす。）を表わすものである。
【００７５】
好ましくは、使用される４−スチリル−スチルベンは、式（１７）
【化４０】
2007501306.tif 000041
［式中、
Ｒ37及びＲ38は、互いに独立して、Ｈ；ＳＯ3Ｍ；−ＳＯ2Ｎ（炭素原子数１ないし４のアルキル）2；−Ｏ−（炭素原子数１ないし４のアルキル）；−ＣＮ；−Ｃｌ；−ＣＯＯ（炭素原子数１ないし４のアルキル）；−ＣＯＮ（炭素原子数１ないし４のアルキル）2又は−Ｏ（ＣＨ2）3Ｎ(+)（ＣＨ3）2Ａｎ(-)（式中、Ａｎ(-)は、有機又は無機酸のアニオン、特にホルメート、アセテート、プロピオネート、グリコレート、ラクテート、アクリレート、メタンホスホネート、ホスフィット、スルホネート、ジメチル又はジエチルホスフィットアニオン、又はそれらの混合物を表わす。）を表わす。］で表わされるものである。
【００７６】
特に好ましい式（１７）で表わされる化合物は、Ｒ37及びＲ38の各々が２−シアノ基；２−ＳＯ3Ｍ（式中、Ｍはナトリウムを表わす。）又はＯ（ＣＨ2）3Ｎ(+)（ＣＨ3）2Ａｎ(-)（式中、Ａｎ(-)は、アセテートを表わす。）を表わすものである。
【００７７】
好ましいビス−（ベンズオキサゾール−２−イル）誘導体は、式（１８）
【化４１】
2007501306.tif 000042
（式中、
Ｒ39は、互いに独立して、Ｈ；Ｃ（ＣＨ3）3；Ｃ（ＣＨ3）2−フェニル基；炭素原子数１ないし４のアルキル基又はＣＯＯ−炭素原子数１ないし４のアルキル基を表わし、
Ｘは、−ＣＨ＝ＣＨ−又は式
【化４２】
2007501306.tif 000043
で表わされる基を表わす。）で表わされるものである。
【００７８】
特に好ましい式（１８）で表わされる化合物は、各Ｒ39がＨを表わし、かつＸが
【化４３】
2007501306.tif 000044
を表わすか；又は、各環中の１方の基Ｒ39が２−メチル基を表わし、他方のＲ39がＨを表
わし、かつＸが−ＣＨ＝ＣＨ−を表わすか；又は、各環中の１方の基Ｒ39が２−Ｃ（ＣＨ3）3を表わし、他方のＲ39がＨを表わし、かつＸが
【化４４】
2007501306.tif 000045
を表わすものである。
【００７９】
好ましいビス−（ベンズイミダゾール−２−イル）誘導体は、式（１９）
【化４５】
2007501306.tif 000046
（式中、
Ｒ40及びＲ41は、互いに独立して、Ｈ；炭素原子数１ないし４のアルキル基又はＣＨ2ＣＨ2ＯＨを表わし；
Ｒ42は、Ｈ又はＳＯ3Ｍを表わし；
Ｘ1は、−ＣＨ＝ＣＨ−又は式
【化４６】
2007501306.tif 000047
で表わされる基を表わし；
Ｍは、Ｈ；Ｎａ；Ｋ；Ｃａ；Ｍｇ；アンモニウム；モノ−、ジ−、トリ−又はテトラ−炭素原子数１ないし４のアルキルアンモニウム；モノ−、ジ−又はトリ−炭素原子数１ないし４のヒドロキシアルキルアンモニウム又は炭素原子数１ないし４のアルキル基及び炭素原子数１ないし４のヒドロキシアルキル基の混合物でジ−又はトリ−置換されたアンモニウムを表わす。）で表わされるものである。
【００８０】
特に好ましい式（１９）で表わされる化合物は、Ｒ40及びＲ41が、それぞれ、Ｈを表わし、Ｒ42がＳＯ3Ｍ（式中、Ｍはナトリウムを表わす。）を表わし、かつＸ1が−ＣＨ＝ＣＨ−を表わすものである。
【００８１】
好ましいクマリンは、式
【化４７】
2007501306.tif 000048
［式中、
Ｒ43は、Ｈ；−Ｃｌ又は−ＣＨ2ＣＯＯＨを表わし、
Ｒ44は、Ｈ；フェニル基；−ＣＯＯ−炭素原子数１ないし４のアルキル基又は式
【化４８】
2007501306.tif 000049
で表わされる基を表わし、
Ｒ45は、−Ｏ−炭素原子数１ないし４のアルキル基；−Ｎ（炭素原子数１ないし４のアルキル）2；−ＮＨ−ＣＯ−炭素原子数１ないし４のアルキル基又は式
【化４９】
2007501306.tif 000050
（式中、Ｒ26、Ｒ27、Ｒ28及びＲ29は、上記した意味を有し、かつＲ46は、Ｈ；炭素原子数１ないし４のアルキル基又はフェニル基を表わす。）で表わされる基を表わす。］で表わされるものである。
【００８２】
特に好ましい式（２０）で表わされる化合物は、式（２１）及び（２２）
【化５０】
2007501306.tif 000051
で表わされるものである。
【００８３】
好ましくは、使用されるピラゾリンは、式（２３）
【化５１】
2007501306.tif 000052
（式中、
Ｒ47は、Ｈ；−Ｃｌ又は−Ｎ（炭素原子数１ないし４のアルキル基）2を表わし、
Ｒ48は、Ｈ；−Ｃｌ；−ＳＯ3Ｍ；−ＳＯ2ＮＨ2；−ＳＯ2ＮＨ−（炭素原子数１ないし４のアルキル）；−ＣＯＯ−炭素原子数１ないし４のアルキル；−ＳＯ2−炭素原子数１ないし４のアルキル；−ＳＯ2ＮＨＣＨ2ＣＨ2ＣＨ2Ｎ(+)（ＣＨ3）3又はＳＯ2ＣＨ2ＣＨ2Ｎ(+)Ｈ（炭素原子数１ないし４のアルキル）2Ａｎ(-)を表わし、
Ｒ49及びＲ50は、同一であるか又は異なり、それぞれ、Ｈ；炭素原子数１ないし４のアルキル基又はフェニル基を表わし；
Ｒ51は、Ｈ又は−Ｃｌを表わし、
Ａｎ(-)は、有機又は無機酸のアニオン、特にホルメート、アセテート、プロピオネート、グリコレート、ラクテート、アクリレート、メタンホスホネート、ホスフィット、スルホネート、ジメチル又はジエチルホスフィットアニオン、又はそれらの混合物を表わし、
Ｍは、Ｈ；Ｎａ；Ｋ；Ｃａ；Ｍｇ；アンモニウム；モノ−、ジ−、トリ−又はテトラ−炭素原子数１ないし４のアルキルアンモニウム；モノ−、ジ−又はトリ−炭素原子数１ないし４のヒドロキシアルキルアンモニウム又は炭素原子数１ないし４のアルキル基及び炭素原子数１ないし４のヒドロキシアルキル基の混合物でジ−又はトリ−置換されたアンモニウムを表わす。）で表わされるものである。
【００８４】
特に好ましい式（２３）で表わされる化合物は、Ｒ47が−Ｃｌを表わし；Ｒ48が−ＳＯ2ＣＨ2ＣＨ2Ｎ(+)Ｈ（炭素原子数１ないし４のアルキル）2Ａｎ(-)（式中、Ａｎ(-)はホスフィットを表わす。）を表わし、かつＲ49、Ｒ50及びＲ51がそれぞれＨを表わすものであるか；又は、式（２４）及び（２５）
【化５２】
2007501306.tif 000053
で表わされるものである。
【００８５】
好ましいナフタルイミドは、式（２６）
【化５３】
2007501306.tif 000054
（式中、
Ｒ52は、炭素原子数１ないし４のアルキル基又は−ＣＨ2ＣＨ2ＣＨ2Ｎ(+)（ＣＨ3）3を表わし；
Ｒ53及びＲ54は、互いに独立して、−Ｏ−炭素原子数１ないし４のアルキル基；−ＳＯ3Ｍ又は−ＮＨ−ＣＯ−炭素原子数１ないし４のアルキル基を表わし；
Ｍは、Ｈ；Ｎａ；Ｋ；Ｃａ；Ｍｇ；アンモニウム；モノ−、ジ−、トリ−又はテトラ−炭素原子数１ないし４のアルキルアンモニウム；モノ−、ジ−又はトリ−炭素原子数１ないし４のヒドロキシアルキルアンモニウム又は炭素原子数１ないし４のアルキル基及び炭素原子数１ないし４のヒドロキシアルキル基の混合物でジ−又はトリ−置換されたアンモニウムを表わす。）で表わされるものである。
【００８６】
特に好ましい式（２６）で表わされる化合物は、式（２７）及び（２８）
【化５４】
2007501306.tif 000055
で表わされるものである。
【００８７】
使用される好ましいトリアジニル−ピレンは、式（２９）
【化５５】
2007501306.tif 000056
（式中、各Ｒ55は、互いに独立して、炭素原子１ないし４のアルコキシ基を表わす。）で表わされるものである。
特に好ましい式（２９）で表わされる化合物は、各Ｒ55がメトキシ基を表わすものである。
【００８８】
好ましい２−スチリル−ベンズオキサゾール又はナフトオキサゾール誘導体は、式（３０）
【化５６】
2007501306.tif 000057
（式中、
Ｒ56は、−ＣＮ；−Ｃｌ；−ＣＯＯ−炭素原子数１ないし４のアルキル基又はフェニル基を表わし；
Ｒ57及びＲ58は、縮合ベンゼン環を形成するために必要とされる原子を表わすか、又は、
Ｒ58及びＲ60は、互いに独立して、Ｈ又は炭素原子数１ないし４のアルキル基を表わし；
Ｒ59は、Ｈ；炭素原子数１ないし４のアルキル基又はフェニル基を表わす。）で表わされるものである。
特に好ましい式（３０）で表わされる化合物は、Ｒ56が４−フェニル基を表わし、かつＲ57ないしＲ60の各々がＨを表わすものである。
【００８９】
好ましいベンズイミダゾール−ベンゾフラン誘導体は、式（３１）
【化５７】
2007501306.tif 000058
（式中、
Ｒ61は、炭素原子数１ないし４のアルコキシ基を表わし；
Ｒ62及びＲ63は、互いに独立して、炭素原子数１ないし４のアルキル基を表わし；
Ａｎ(-)は、有機又は無機酸のアニオン、特にホルメート、アセテート、プロピオネート、グリコレート、ラクテート、アクリレート、メタンホスホネート、ホスフィット、スルホネート、ジメチル又はジエチルホスフィットアニオン、又はそれらの混合物を表わす。）で表わされるものである。
特に好ましい式（３１）で表わされる化合物は、Ｒ61がメトキシ基を表わし、Ｒ62及びＲ63がそれぞれメチル基を表わし、かつＡｎ(-)がメタンスルホネートを表わすものである。
【００９０】
好ましいオキサニリド誘導体は、式（３２）
【化５８】
2007501306.tif 000059
［式中、
Ｒ64は、炭素原子数１ないし４のアルコキシ基を表わし、
Ｒ66は、炭素原子数１ないし４のアルキル基；炭素原子数１ないし４のアルキル−ＳＯ3Ｍ又は炭素原子数１ないし４のアルコキシ−ＳＯ3Ｍ（式中、Ｍは、Ｈ；Ｎａ；Ｋ；Ｃａ；Ｍｇ；アンモニウム；モノ−、ジ−、トリ−又はテトラ−炭素原子数１ないし４のアルキルアンモニウム；モノ−、ジ−又はトリ−炭素原子数１ないし４のヒドロキシアルキルアンモニウム又は炭素原子数１ないし４のアルキル基及び炭素原子数１ないし４のヒドロキシアルキル基の混合物でジ−又はトリ−置換されたアンモニウムを表わす。）を表わし、
Ｒ65及びＲ67は、同一であり、それぞれ、水素原子；第三ブチル基又はＳＯ3Ｍ（式中、Ｍは上記した意味を有する。）を表わす。］で表わされるものを含む。
【００９１】
好ましいＦＷＡは、式
【化５９】
2007501306.tif 000060
（式中、
Ｒ68及びＲ69は、互いに独立して、−ＯＨ；−ＮＨ2；−Ｏ−炭素原子数１ないし４のアルキル基；−Ｏ−アリール基；−ＮＨ−炭素原子数１ないし４のアルキル基；−Ｎ（炭素原子数１ないし４のアルキル）2；−Ｎ（炭素原子数１ないし４のアルキル）（炭素原子数１ないし４のヒドロキシアルキル）；−Ｎ（炭素原子数１ないし４のヒドロキシアルキル）2；−ＮＨ−アリール基；モルホリノ基；−Ｓ−炭素原子数１ないし４のアルキル（アリール）又はＣｌを表わし、
Ｒ70及びＲ71は、互いに独立して、Ｈ；炭素原子数１ないし４のアルキル基；フェニル
基又は式
【化６０】
2007501306.tif 000061
で表わされる基を表わし；
Ｒ72は、Ｈ；−Ｃｌ又は−ＳＯ3Ｍを表わし；
Ｒ73は、−ＣＮ；−ＳＯ3Ｍ；−Ｓ（炭素原子数１ないし４のアルキル）2又は−Ｓ（アリール）2を表わし；
Ｒ74は、Ｈ；−ＳＯ3Ｍ；−Ｏ−炭素原子数１ないし４のアルキル基；−ＣＮ；−Ｃｌ；−ＣＯＯ−炭素原子数１ないし４のアルキル基；又は−ＣＯＮ（炭素原子数１ないし４のアルキル）2を表わし；
Ｒ75は、Ｈ；炭素原子数１ないし４のアルキル基；−Ｃｌ又は−ＳＯ3Ｍを表わし；
Ｒ76及びＲ77は、互いに独立して、Ｈ；炭素原子数１ないし４のアルキル基；−ＳＯ3Ｍ；−Ｃｌ又は−Ｏ−炭素原子数１ないし４のアルキル基を表わし；
Ｒ78は、Ｈ又は炭素原子数１ないし４のアルキル基を表わし；
Ｒ79は、Ｈ；炭素原子数１ないし４のアルキル基；−ＣＮ；−Ｃｌ；−ＣＯＯ−炭素原子数１ないし４のアルキル基；−ＣＯＮ（炭素原子数１ないし４のアルキル）2；アリール基又は−Ｏ−アリール基を表わし；
Ｍは、Ｈ；Ｎａ；Ｋ；Ｃａ；Ｍｇ；アンモニウム；モノ−、ジ−、トリ−又はテトラ−炭素原子数１ないし４のアルキルアンモニウム；モノ−、ジ−又はトリ−炭素原子数１ないし４のヒドロキシアルキルアンモニウム又は炭素原子数１ないし４のアルキル基及び炭素原子数１ないし４のヒドロキシアルキル基の混合物でジ−又はトリ−置換されたアンモニウムを表わし、
ｎは、０又は１を表わす。）で表わされるものの１つである。
【００９２】
式（３３）ないし（４０）で表わされる化合物において、炭素原子数１ないし４のアルキル基は、例えば、メチル基、エチル基、ｎ−プロピル基、イソプロピル基及びｎ−ブチル基、特にメチル基である。アリール基は、ナフチル基、また特にはフェニル基である。
【００９３】
式（３３）で表わされる好ましい化合物の具体的な例は、式
【化６１】
2007501306.tif 000062
【化６２】
2007501306.tif 000063
で表わされるものである。
【００９４】
式（３４）で表わされる化合物の具体的に好ましい例は、式
【化６３】
2007501306.tif 000064
（式中、ｎは上記した意味を有する。）で表わされるものである。
【００９５】
式（３６）で表わされる化合物の好ましい例は、式
【化６４】
2007501306.tif 000065
で表わされるものである。
【００９６】
式（３７）で表わされる化合物の好ましい例は、式
【化６５】
2007501306.tif 000066
で表わされるものである。
【００９７】
式（４０）で表わされる化合物の好ましい例は、式（５７）
【化６６】
2007501306.tif 000067
で表わされるものである。
【００９８】
式（２３）ないし（５７）で表わされる化合物は、既知であり、既知の方法で得られ得る。
【００９９】
更に好ましいＦＷＡ’ｓは、式（５８）
【化６７】
2007501306.tif 000068
（式中、
Ｙは、アリーレン基、好ましくは、クロロ基、メチル基又はメトキシ基で任意に置換される１，４−フェニレン基又は４，４’−ジフェニレン基を表わし、
ｑは、１又は２を表わし、
Ｒ80は、水素原子；クロロ基；炭素原子数１ないし４のアルキル基；炭素原子数１ないし４のアルコキシ基；シアノ基又は炭素原子数１ないし４のアルコキシカルボニル基を表わし、
Ｒ81及びＲ82は、炭素原子数１ないし４のアルキル基；クロロエチル基；メトキシエチル基；β−エトキシエチル基；β−アセトキシエチル基又はβ−シアノエチル基；ベンジル基又はフェニルエチル基を表わし、
Ｒ83は、炭素原子数１ないし４のアルキル基；炭素原子数２ないし３のヒドロキシアルキル基；β−ヒドロキシ−γ−クロロプロピル基；β−シアノエチル基又は炭素原子数１ないし４のアルコキシ−カルボニルエチル基を表わし、
Ａｎ(-)は、上記した意味を有し、Ｒ83が炭素原子数１ないし４のアルキル基を表わす場合、Ａｎ(-)は、好ましくは、クロリド；ブロミド；ヨージド；メトスルフェート；エトスルフェート；ベンゼンスルホネート又はｐ−トルエンスルホネートアニオンを表わし、また、Ｒ83がβ−ヒドロキシ−γ−クロロプロピル基；β−シアノエチル基又は炭素原子数１ないし４のアルコキシ−カルボニルエチル基を表わす場合、Ａｎ(-)は、好ましくは、ホルメート；アセテート；プロピオネート又はベンゾエートアニオンを表わす。）で表わされるカチオン性ビスチリルフェニル蛍光白化剤類のものである。
【０１００】
式（５８）で表わされる好ましい化合物は、Ｙが１，４−フェニレン基又は４，４’−ジフェニレン基を表わし；Ｒ80が水素原子；メチル基又はシアノ基を表わし；Ｒ81及びＲ82がそれぞれメチル基又はシアノ基を表わし；かつ、Ｒ83及びＡｎ(-)が上記した好ましい意味を有するものである。
【０１０１】
式（５８）で表わされる特に好ましい化合物は、式（５９）
【化６８】
2007501306.tif 000069
で表わされるものである。
式（５８）で表わされる化合物及びそれらの製造は、米国特許出願公開第４００９１９３号明細書に記載されている。
【０１０２】
更に好ましいカチオン性ビスチリルフェニル蛍光白化剤類は、式（６０）
【化６９】
2007501306.tif 000070
（式中、
ｑは、１又は２を表わし、
Ｒ80は、水素原子；クロロ基；炭素原子数１ないし４のアルキル基；炭素原子数１ない
し４のアルコキシ基；シアノ基又は炭素原子数１ないし４のアルコキシカルボニル基を表わし、
Ｙ1は、炭素原子数２ないし４のアルキレン基又はヒドロキシプロピレン基を表わし；
Ｒ84は、炭素原子数１ないし４のアルキル基を表わすか、又は、Ｒ84は、Ｒ85及びそれらが互いに結合されるところの窒素原子と一緒になって、ピロリジン環；ピペリジン環；ヘキサメチレンイミン環又はモルホリン環を形成し；
Ｒ85は、炭素原子数１ないし４のアルキル基を表わすか、又は、Ｒ85は、Ｒ84及びそれらが互いに結合されるところの窒素原子と一緒になって、ピロリジン環；ピペリジン環；ヘキサメチレンイミン環又はモルホリン環を形成し；
Ｒ86は、水素原子；炭素原子数１ないし４のアルキル基；炭素原子数３ないし４のアルケニル基；炭素原子数１ないし４のアルコキシカルボニルメチル基；ベンジル基；炭素原子数２ないし４のヒドロキシアルキル基；炭素原子数２ないし４のシアノアルキル基を表わすか、又は、Ｒ86は、Ｒ84及びＲ85及びそそれらが互いに結合されるところの窒素原子と一緒になって、ピロリジン環；ピペリジン環；ヘキサメチレンイミン環又はモルホリン環を形成し；
Ａｎ(-)は、有機又は無機酸のアニオン、特にホルメート、アセテート、プロピオネート、グリコレート、ラクテート、アクリレート、メタンホスホネート、ホスフィット、スルホネート、ジメチル又はジエチルホスフィットアニオン、又はそれらの混合物を表わし、
ｐは、０又は１を表わす。）で表わされるものである。
【０１０３】
好ましい式（６０）で表わされる化合物は、ｑが１を表わし；Ｒ80が水素原子、塩素原子、炭素原子数１ないし４のアルキル基又は炭素原子数１ないし４のアルコキシ基を表わし；Ｙ1が（ＣＨ2）2を表わし；Ｒ84及びＲ85が同一であり、それぞれメチル基又はエチル基を表わし；Ｒ86がメチル基又はエチル基を表わし；ｐが１を表わし；かつＡｎ(-)がＣＨ3ＯＳＯ3又はＣ2Ｈ5ＯＳＯ3を表わすものである。
式（６０）で表わされる化合物及びそれらの製造は、米国特許出願公開第４３３９３９３号明細書に記載されている。
【０１０４】
更に好ましいカチオン性ビスチリルフェニル蛍光白化剤類は、式（６１）
【化７０】
2007501306.tif 000071
（式中、
Ｒ80、Ｙ1、Ａｎ(-)、ｐ及びｑは、上記した意味を有し；
Ｒ87及びＲ88は、互いに独立して、炭素原子数１ないし４のアルキル基又は炭素原子数２ないし３のアルケニル基を表わすか、又は、
Ｒ87及びＲ88は、それらが結合されるところの窒素原子と一緒になって、ピロリジン環；ピペリジン環；ヘキサメチレンイミン環又はモルホリン環を形成し、
Ｒ89は、水素原子；炭素原子数１ないし４のアルキル基又は炭素原子数２ないし３のアルケニル基を表わすか、又は、
Ｒ87、Ｒ88及びＲ89は、それらが結合されるところの窒素原子と一緒になって、ピリジ
ン環又はピコリン環を形成し；
Ｚは、硫黄原子；−ＳＯ2−；−ＳＯ2ＮＨ−；−Ｏ−炭素原子数１ないし４のアルキレン−ＣＯＯ−又は−ＯＣＯ−を表わす。）で表わされるものである。
【０１０５】
好ましい式（６１）で表わされる化合物は、Ｒ80が水素原子；クロロ原子；炭素原子数１ないし４のアルキル基又は炭素原子数１ないし４のアルコキシ基を表わし；Ｒ87及びＲ88が、互いに独立して、炭素原子数１ないし４のアルキル基を表わすか、又は、それらが結合されるところの窒素原子と一緒になって、ピロリジン環、ピペリジン環又はモルホリン環を形成し；Ｒ89が水素原子；炭素原子数１ないし４のアルキル基又は炭素原子数３ないし４のアルケニル基を表すか、又は、Ｒ87、Ｒ88及びＲ89が、それらが結合されるところの窒素原子と一緒になって、ピリジン環を形成し；Ｚが、硫黄原子；−ＳＯ2−又は−ＳＯ2ＮＨ−を表わすものである。
式（６１）で表わされる化合物及びそれらの製造は、米国特許出願公開第４４８６３５２号明細書に記載されている。
【０１０６】
更に好ましいカチオン性ビスチリルフェニル蛍光白化剤類は、式（６２）
【化７１】
2007501306.tif 000072
（式中、Ｒ80、Ｒ87、Ｒ88、Ｒ89、Ｙ1、Ａｎ(-)、ｐ及びｑは、上記した意味を有する。）で表わされるものである。
【０１０７】
好ましい式（６２）で表わされる化合物は、ｑが１を表わし；Ｒ80が水素原子；クロロ基；炭素原子数１ないし４のアルキル基又は炭素原子数１ないし４のアルコキシ基を表わし；Ｒ87及びＲ88が、互いに独立して、炭素原子数１ないし４のアルキル基を表わすか、又は、Ｒ87及びＲ88が、それらが結合されるところの窒素原子と一緒になって、ピロリジン環；ピペリジン環又はモルホリン環を形成し；Ｒ89が水素原子；炭素原子数１ないし４のアルキル基又は炭素原子数３ないし４のアルケニル基を表すか、又は、Ｒ87、Ｒ88及びＲ89が、それらが結合されるところの窒素原子と一緒になって、ピリジン環を形成するものである。
式（６２）で表わされる化合物及びそれらの製造は、米国特許出願公開第４６０２０８７号明細書に記載されている。
【０１０８】
好ましい両性スチレン蛍光白化剤類の１つは、式（６３）
【化７２】
2007501306.tif 000073
［式中、
Ｒ80、Ｒ87、Ｒ88、Ｙ1及びｑは、上記した意味を有し、
Ｚ1は、酸素原子；硫黄原子；直接結合；−ＣＯＯ−；−ＣＯＮ（Ｒ90）−又−ＳＯ2Ｎ（Ｒ90）−（式中、Ｒ90は、水素原子；炭素原子数１ないし４のアルキル基又はシアノエチル基を表わす。）を表わし；
Ｑは、−ＣＯＯ−又は−ＳＯ3を表わす。］で表わされるものである。
【０１０９】
好ましい式（６３）で表わされる化合物は、Ｚ1が酸素原子；直接結合；−ＣＯＮＨ−；−ＳＯ2ＮＨ−又は−ＣＯＯ−；特に酸素原子を表わし；ｑが１を表わし；Ｒ80が水素原子；炭素原子数１ないし４のアルキル基；メトキシ基又は塩素原子を表わし；かつ、Ｒ87、Ｒ88、Ｙ1及びＱが上記した意味を有するものである。
式（６３）で表わされる化合物及びそれらの製造は、米国特許出願公開第４４７８５９８号明細書に記載されている。
【０１１０】
好ましいアミンオキシド蛍光白化剤類の１つは、式（６４）
【化７３】
2007501306.tif 000074
［式中、
ｑは、上記した意味を有し；
Ｂは、各々所望により、ハロゲン原子、炭素原子数１ないし４のアルキル基、炭素原子数１ないし４のヒドロキシアルキル基、炭素原子数１ないし４のハロゲノアルキル基、炭素原子数１ないし４のシアノアルキル基、炭素原子数１ないし４のアルコキシ−炭素原子数１ないし４のアルキル基、フェニル−炭素原子数１ないし４のアルキル基、カルボキシ−炭素原子数１ないし４のアルキル基、カルボ−炭素原子数１ないし４のアルコキシ−炭素原子数１ないし４のアルキル基、炭素原子数１ないし４のアルケニル基、炭素原子数５ないし８のシクロアルキル基、炭素原子数１ないし４のアルコキシ基、炭素原子数１ないし４のアルケノキシ基、炭素原子数１ないし４のアルコキシカルボニル基、カルバモイル基、シアノ基、炭素原子数１ないし４のアルキル−スルホニル基、フェニルスルホニル基；炭素原子数１ないし４のアルコキシスルホニル基、スルファモイル基、ヒドロキシル基、カルボキシル基、スルホ基及びトリフルオロメチル基から選択される１ないし４つの置換基によって置換される、４，４’−ジスチリルビフェニル基；４，４’−ジビニル−スチルベン基及び１，４’−ジスチリルベンゼン基から選択される増白剤基を表わし；
Ｚ2は、Ｂ及びＹ2間の直接結合；酸素原子；硫黄原子；−ＳＯ2−；−ＳＯ2−Ｏ−；−ＣＯＯ−；−ＣＯＮ（Ｒ93）−又は−ＳＯ2Ｎ（Ｒ93）−（式中、Ｒ93は、水素原子、又は、所望により、ハロゲン原子、シアノ基、ヒドロキシル基、炭素原子数２ないし５のカ
ルボアルコキシ基、炭素原子数１ないし４のアルコキシ基、フェニル基、クロロフェニル基、メチルフェニル基、メトフェニル基、カルバモイル基又はスルファモイル基によって置換された炭素原子数１ないし４のアルキル基を表わす。）を表わし；
Ｙ2は、各々所望により、ハロゲン原子、ヒドロキシル基、炭素原子数２ないし５のカルボアルコキシ基、炭素原子数１ないし４のアルコキシ基、フェニル基、クロロフェニル基、メチルフェニル基、メトフェニル基、カルバモイル基又はスルファモイル基によって置換された炭素原子数２ないし４のアルキレン基又は炭素原子数２ないし４のアルキレンオキシ−炭素原子数２ないし４のアルキレン基を表わし；
Ｒ91及びＹ92は、互いに独立して、各々所望により、ハロゲン原子、ヒドロキシル基、炭素原子数２ないし５のカルボアルコキシ基、炭素原子数１ないし４のアルコキシ基、フェニル基、クロロフェニル基、メチルフェニル基、メトフェニル基、カルバモイル基又はスルファモイル基によって置換された、炭素原子数５ないし８のシクロアルキル基；炭素原子数１ないし４のアルキル基又はフェニル基を表わし；
ここで、カルバモイル基又はスルファモイル基の全てにおいて、窒素原子は、所望により、１又は２つの炭素原子数１ないし４のアルキル基、炭素原子数１ないし４のヒドロキシアルキル基、炭素原子数２ないし５のシアノアルキル基、炭素原子数１ないし４のハロゲノアルキル基、ベンジル基又はフェニル基によって置換される。］で表わされるものである。
【０１１１】
好ましい増白剤基Ｂは、式
【化７４】
2007501306.tif 000075
（式中、ｑは、上記した意味を有し、かつ環は、所望により、上記したように置換される。）で表わされるものである。
【０１１２】
好ましくは、Ｚ2は、酸素原子；−ＳＯ2−又は−ＳＯ2Ｎ（Ｒ94）−（式中、Ｒ94は、水素原子、又は、所望により、ヒドロキシル基、ハロゲン原子又はシアノ基によって置換された炭素原子数１ないし４のアルキル基を表わす。）を表わし；Ｒ91及びＲ92は、互いに独立して、所望により、ハロゲン原子、シアノ基、ヒドロキシル基、炭素原子数１ないし４のアルコキシ基、フェニル基、クロロフェニル基、メチルフェニル基、メトキシフェニル基又は炭素原子数２ないし５のアルコキシカルボニル基によって置換された炭素原子数１ないし４のアルキル基を表わす。他の好ましい式（６２）で表わされる化合物は、Ｚ2が酸素原子；硫黄原子；−ＳＯ2−；−ＣＯＮ（Ｒ94）−又は−ＳＯ2Ｎ（Ｒ94）−（式中、Ｒ94は、水素原子、又は、所望により、ヒドロキシル基、ハロゲン原子又はシアノ基によって置換された炭素原子数１ないし４のアルキル基を表わす。）を表わし；かつＹ2が炭素原子数１ないし４のアルキレン基を表わすものである。
式（６４）で表わされる化合物及びそれらの製造は、米国特許出願公開第４５３９１６１号明細書に記載されている。
【０１１３】
好ましいカチオン性ホスフィン酸塩蛍光白化剤類の１つは、式（６５）
【化７５】
2007501306.tif 000076
［式中、
ｑ及びＹ2は、上記した意味を有し、
Ｂ1は、増白剤基を表わし、
Ｚ3は、直接結合；−ＳＯ2−炭素原子数２ないし４のアルキレンオキシ基；−ＳＯ2−炭素原子数２ないし４のアルキレン−ＣＯＯ−；−ＳＯ2−；−ＣＯＯ−；−ＳＯ2−炭素原子数２ないし４のアルキレン−ＣＯＮ（Ｒ100）−又は−ＳＯ2Ｎ（Ｒ100）−（式中、Ｒ100は、水素原子、又は、所望により、ヒドロキシル基、ハロゲン原子又はシアノ基によって置換された炭素原子数１ないし４のアルキル基を表わす。）を表わし；
Ｒ95は、各々所望により、ハロゲン原子、シアノ基、ヒドロキシ基、炭素原子数１ないし４のアルコキシカルボニル基又は炭素原子数１ないし４のアルキルカルボニルオキシ基によって置換された炭素原子数１ないし４のアルキル基又は炭素原子数２ないし４のアルケニル基を表わすか、又は、
Ｒ95は、所望により、ハロゲン原子、炭素原子数１ないし４のアルキル基又は炭素原子数１ないし４のアルコキシ基によって置換されたベンジル基を表わすか、又は、
Ｒ95は、Ｒ96又はＺ3と一緒になって、ピロリジン基、ピペリジン基又はモルホリン基を形成し、
Ｒ96は、各々所望により、ハロゲン原子、シアノ基、ヒドロキシ基、炭素原子数１ないし４のアルコキシカルボニル基又は炭素原子数１ないし４のアルキルカルボニルオキシによって置換された炭素原子数１ないし４のアルキル基又は炭素原子数２ないし４のアルケニル基を表わすか、又は、
Ｒ96は、所望により、ハロゲン原子、炭素原子数１ないし４のアルキル基又は炭素原子数１ないし４のアルコキシ基によって置換されたベンジル基を表わすか、又は、
Ｒ96は、Ｒ95と一緒になって、ピロリジン基、ピペリジン基又はモルホリン基を形成し、
Ｒ97は、炭素原子数１ないし４のアルキル基を表わし、
Ｒ98は、水素原子、又は、所望により、シアノ基、ヒドロキシ基、炭素原子数１ないし４のアルコキシカルボニル基又は炭素原子数１ないし４のアルキルカルボニルオキシ基によって置換された炭素原子数１ないし４のアルキル基を表わし、
Ｒ99は、炭素原子数１ないし４のアルキル基を表わす。］で表わされるものである。
【０１１４】
好ましくは、増白剤基Ｂ1は、式
【化７６】
2007501306.tif 000077
又は、式
【化７７】
2007501306.tif 000078
で表わされ、それぞれ、所望により、ハロゲン原子、炭素原子数１ないし４のアルキル基、炭素原子数１ないし４のヒドロキシアルキル基、炭素原子数１ないし４のハロゲノアルキル基、炭素原子数１ないし４のシアノアルキル基、炭素原子数１ないし４のアルコキシ−炭素原子数１ないし４のアルキル基、フェニル−炭素原子数１ないし４のアルキル基、カルボキシ−炭素原子数１ないし４のアルキル基、カルボ−炭素原子数１ないし４のアルコキシ−炭素原子数１ないし４のアルキル基、炭素原子数１ないし４のアルケニル基、炭素原子数５ないし８のシクロアルキル基、炭素原子数１ないし４のアルコキシ基、炭素原子数１ないし４のアルケンオキシ基、炭素原子数１ないし４のアルコキシカルボニル基、
カルバモイル基、シアノ基、炭素原子数１ないし４のアルキル−スルホニル基、フェニルスルホニル基；炭素原子数１ないし４のアルコキシスルホニル基、スルファモイル基、ヒドロキシル基、カルボキシル基、スルホ基及びトリフルオロメチル基から選択される１ないし４つの置換基によって置換される。
【０１１５】
式（６５）で表わされる化合物及びそれらの製造は、英国特許出願公開第２０２３６０５号明細書に記載されている。
【０１１６】
本発明における使用のために好ましいビス（トリアジニル）ジアミノスチルベンアニオン性蛍光白化剤は、式（６６）
【化７８】
2007501306.tif 000079
で表わされるものである。
【０１１７】
本発明における使用のために好ましいジベンゾフラニルビフェニルアニオン性蛍光白化剤は、式（６７）
【化７９】
2007501306.tif 000080
で表わされるものである。
【０１１８】
本発明における使用のために好ましいアニオン性ビスチリルフェニル蛍光白化剤は、式（６８）
【化８０】
2007501306.tif 000081
で表わされるものである。
【０１１９】
式（６６）ないし（６８）において、
Ｒ101は、所望により、１又は２つの−ＳＯ3Ｍ基によって置換されたフェニル基を表わし、
Ｒ102は、−ＮＨ−炭素原子数１ないし４のアルキル基；−Ｎ（炭素原子数１ないし４のアルキル）2；−ＮＨ−炭素原子数１ないし４のアルコキシ基；−Ｎ（炭素原子数１ないし４のアルコキシ）2；−Ｎ（炭素原子数１ないし４のアルキル）（炭素原子数１ないし４のヒドロキシアルキル）又は−Ｎ（炭素原子数１ないし４のヒドロキシアルキル）2を表わし、
Ｒ103、Ｒ104及びＲ105の少なくとも２つが−ＳＯ3Ｍ基を表わし、かつ３つ目の基が可
溶性であるという条件で、Ｒ103は、Ｈ；−炭素原子数１ないし４のアルキル基；−ＣＮ；−Ｃｌ又は−ＳＯ3Ｍを表わし；Ｒ104及びＲ105は、互いに独立して、Ｈ；炭素原子数１ないし４のアルキル基；−ＳＯ3Ｍ；−ＣＮ；−Ｃｌ又は−Ｏ−炭素原子数１ないし４のアルキル基を表わし、
Ｒ81は、Ｈ；−ＳＯ3Ｍ；−Ｏ−炭素原子数１ないし４のアルキル基；−ＣＮ；−Ｃｌ；−ＣＯＯ−炭素原子数１ないし４のアルキル基又は−ＣＯＮ（炭素原子数１ないし４のアルキル）2を表わし、
Ｍは、Ｈ；Ｎａ；Ｋ；Ｃａ；Ｍｇ；アンモニウム；モノ−、ジ−、トリ−又はテトラ−炭素原子数１ないし４のアルキルアンモニウム；モノ−、ジ−又はトリ−炭素原子数１ないし４のヒドロキシアルキルアンモニウム又は炭素原子数１ないし４のアルキル基及び炭素原子数１ないし４のヒドロキシアルキル基の混合物でジ−又はトリ−置換されたアンモニウムを表わし、
ｒは、０又は１を表わす。
【０１２０】
式（６６）ないし（６８）で表わされる化合物は、既知であり、既知の方法によって得られ得る。
特に好ましいものは、非イオン性又はアニオン性ＦＷＡである。
【０１２１】
本発明に従った配合物における粒質物は、粒質物の総質量に基づき、水（成分ｃ）を０ないし１５質量％含み得る。
【０１２２】
本発明に従った配合物における粒質物は、好ましくは、＜５００μｍの平均粒子サイズを有する。より好ましいものは、粒質物の粒子サイズが４０ないし４００μｍのものである。
【０１２３】
本発明の好ましい態様は、粒質物であって、
ａ）前記粒質物の総質量に基づき、２ないし７５質量％の少なくとも１種の組成物であって、
上記で定義した、
少なくとも１種の式（１ａ）、（１ｂ）、（２ａ）、（３）、（４）、（４ａ）、（５）、（６）及び／又は（７）で表わされるフタロシアニン化合物、及び
少なくとも１種の式
【化８１】
2007501306.tif 000082
（式中、
Ｘ及びＹは、それぞれ互いに独立して、水素原子；炭素原子数１ないし４のアルキル基又は炭素原子数１ないし４のアルコキシ基を表わし、
Ｒαは、水素原子又はアリール基を表わし、
Ｚは、炭素原子数１ないし４のアルキル基；炭素原子数１ないし４のアルコキシ基；ハロゲン原子；ヒドロキシル基又はカルボキシル基を表わし、
ｎは、１又は２を表わし、
ｍは、０、１又は２を表わす。）で表わされるアゾ色素、並びにそれらの相当する塩及びそれらの混合物、及び／又は
少なくとも１種の式（Ｄ）、（Ｅ）、（Ｆ）、（Ｇ）、（Ｈ）及び／又は（Ｉ）で表わされるトリフェニルメタン色素
を含む組成物、
ｂ）１０ないし９５質量％の、アニオン性又は非イオン性分散剤；水溶性有機ポリマー；無機塩；低分子量有機酸又はその塩；湿潤剤；例えば、粉末状又は線維状セルロース、微晶質セルロース等の錠剤分解物質；例えば、デキストリン等の充填剤；非水溶性又は水溶性染料又は顔料；溶解促進剤；蛍光増白剤；珪酸アルミニウム；タルク、カオリン、ＴｉＯ2、ＳｉＯ2及び三珪酸マグネシウムからなる群から選択される少なくとも１種の更なる添加剤、及び
ｃ）前記粒質物の総質量に基づき、０ないし１５質量％の水
を含む粒質物に関する。
【０１２４】
本発明のより好ましい態様は、粒質物であって、
ａ）前記粒質物の総質量に基づき、２ないし７５質量％の少なくとも１種の組成物であって、上記で定義した、少なくとも１種の式（１ａ）、（１ｂ）、（２ａ）、（３）、（４）、（４ａ）、（５）、（６）及び／又は（７）で表わされるフタロシアニン化合物、及び少なくとも１種の式（Ａ）、（Ｂ）及び／又は（Ｃ）で表わされるアゾ色素、及び／又は少なくとも１種の式（Ｄ）、（Ｅ）、（Ｆ）、（Ｇ）、（Ｈ）及び／又は（Ｉ）で表わされるトリフェニルメタン色素を含む組成物、
ｂ）１０ないし９５質量％の、アニオン性又は非イオン性分散剤；水溶性有機ポリマー；無機塩；低分子量有機酸又はその塩；湿潤剤；例えば、粉末状又は線維状セルロース、微晶質セルロース等の錠剤分解物質；例えば、デキストリン等の充填剤；非水溶性又は水溶性染料又は顔料；溶解促進剤；蛍光増白剤；珪酸アルミニウム；タルク、カオリン、ＴｉＯ２、ＳｉＯ２及び三珪酸マグネシウムからなる群から選択される少なくとも１種の更なる添加剤、及び
ｃ）前記粒質物の総質量に基づき、０ないし１５質量％の水
を含む粒質物に関する。
【０１２５】
更なる態様は、少なくとも１種の光触媒、及び少なくとも１種のアゾ色素、及び／又は少なくとも１種のトリフェニルメタン色素を含む組成物を含む液状配合物である。
【０１２６】
好ましくは、液状配合物であって、
（ａ）前記液状配合物の総質量に基づき、０．０１ないし９５質量％、好ましくは１ないし８０質量％、より好ましくは５ないし７０質量％の、上記で定義した少なくとも１種の水溶性フタロシアニン化合物及び少なくとも１種のアゾ色素及び／又は少なくとも１種のトリフェニルメタン色素を含む組成物、
（ｂ）前記液状配合物の総質量に基づき、５ないし９９．９９質量％、好ましくは２０ないし９９質量％、より好ましくは３０ないし９５質量％の少なくとも１種の有機溶媒、及び
（ｃ）前記液状配合物の総質量に基づき、０ないし１０質量％、好ましくは０ないし５質量％、より好ましくは０ないし２質量％の少なくとも１種の更なる添加剤
を含むもの。
【０１２７】
より好ましくは、液状配合物であって、
（ａ）前記液状配合物の総質量に基づき、０．０１ないし９５質量％、好ましくは１ないし８０質量％、より好ましくは５ないし７０質量％の組成物であって、
上記で定義した、
少なくとも１種の水溶性フタロシアニン化合物、及び
少なくとも１種の式
【化８２】
2007501306.tif 000083
（式中、
Ｘ及びＹは、それぞれ互いに独立して、水素原子；炭素原子数１ないし４のアルキル基又は炭素原子数１ないし４のアルコキシ基を表わし、
Ｒαは、水素原子又はアリール基を表わし、
Ｚは、炭素原子数１ないし４のアルキル基；炭素原子数１ないし４のアルコキシ基；ハロゲン原子；ヒドロキシル基又はカルボキシル基を表わし、
ｎは、１又は２を表わし、
ｍは、０、１又は２を表わす。）で表わされるアゾ色素、並びにそれらの相当する塩及びそれらの混合物、及び／又は
少なくとも１種のトリフェニルメタン色素
を含む組成物、
（ｂ）前記液状配合物の総質量に基づき、５ないし９９．９９質量％、好ましくは２０ないし９９質量％、より好ましくは３０ないし９５質量％の少なくとも１種の有機溶媒、及び
（ｃ）前記液状配合物の総質量に基づき、０ないし１０質量％、好ましくは０ないし５質量％、より好ましくは０ないし２質量％の少なくとも１種の更なる添加剤
を含むもの。
【０１２８】
特に好ましいものは、液状配合物であって、
（ａ）前記液状配合物の総質量に基づき、０．０１ないし９５質量％、好ましくは１ないし８０質量％、より好ましくは５ないし７０質量％の少なくとも１種の組成物であって、
上記で定義した、
少なくとも１種の式（１ａ）、（１ｂ）、（２ａ）、（３）、（４）、（４ａ）、（５）、（６）及び／又は（７）で表わされるフタロシアニン化合物、及び
少なくとも１種の式（Ａ）、（Ｂ）及び／又は（Ｃ）で表わされるアゾ色素、及び／又は
少なくとも１種の式（Ｄ）、（Ｅ）、（Ｆ）、（Ｇ）、（Ｈ）及び／又は（Ｉ）で表わされるトリフェニルメタン色素
を含む組成物、
（ｂ）前記液状配合物の総質量に基づき、５ないし９９．９９質量％、好ましくは２０ないし９９質量％、より好ましくは３０ないし９５質量％の少なくとも１種の有機溶媒、及び
（ｃ）前記液状配合物の総質量に基づき、０ないし１０質量％、好ましくは０ないし５質量％、より好ましくは０ないし２質量％の少なくとも１種の更なる添加剤
を含む液状配合物である。
【０１２９】
上記で定義したフタロシアニン、アゾ色素及びトリフェニルメタン色素として好ましいものはまた、粒状配合物のためにも適用される。
有機溶媒としては、極性溶媒が好ましい。特に好ましいものは、炭素原子数１ないし４のアルコール又は水である。
【０１３０】
適当ならば、本発明に従った液状配合物は、更に、任意の添加剤を含み得り；その例は、クロロアセトアミド、トリアジン誘導体、ベンゾイソチアゾリン、２−メチル−２H−イソチアゾール−３オン、２−オクチル−２Ｈ−イソチアゾール−３オン、２−ブロモ−２−ニトロプロパン−１，３−ジオール又は水性ホルムアルデヒド溶液等の防腐剤又は防腐剤の混合物；ベントナイト、モンモリロナイト、ゼオライト又は高分散性珪酸等のＭｇ／Ａｌシリケート又はＭｇ／Ａｌシリケートの混合物；消臭剤及び芳香剤又はそれらの混合物；消泡剤又はその混合物；ビルダー又はその混合物；保護コロイド又はその混合物；安定剤又はその混合物；プロピレングリコール等の金属イオン封鎖剤及び凍結防止剤又はそれらの混合物である。
【０１３１】
本発明の好ましい態様は、液状配合物であって、
（ａ）前記液状配合物の総質量に基づき、０．０１ないし９５質量％、好ましくは１ないし８０質量％、より好ましくは５ないし７０質量％の少なくとも１種の組成物であって、
上記で定義した、
少なくとも１種の式（１ａ）、（１ｂ）、（２ａ）、（３）、（４）、（４ａ）、（５）、（６）及び／又は（７）で表わされるフタロシアニン化合物、及び
少なくとも１種の式
【化８３】
2007501306.tif 000084
（式中、
Ｘ及びＹは、それぞれ互いに独立して、水素原子；炭素原子数１ないし４のアルキル基又は炭素原子数１ないし４のアルコキシ基を表わし、
Ｒαは、水素原子又はアリール基を表わし、
Ｚは、炭素原子数１ないし４のアルキル基；炭素原子数１ないし４のアルコキシ基；ハロゲン原子；ヒドロキシル基又はカルボキシル基を表わし、
ｎは、１又は２を表わし、
ｍは、０、１又は２を表わす。）で表わされるアゾ色素、並びにそれらの相当する塩及びそれらの混合物、及び／又は
少なくとも１種の式（Ｄ）、（Ｅ）、（Ｆ）、（Ｇ）、（Ｈ）及び／又は（Ｉ）で表わされるトリフェニルメタン色素
を含む組成物、
（ｂ）前記液状配合物の総質量に基づき、５ないし９９．９９質量％、好ましくは２０ないし９９質量％、より好ましくは３０ないし９５質量％の炭素原子数１ないし４のアル
コール又は水、及び
（ｃ）前記液状配合物の総質量に基づき、０ないし１０質量％、好ましくは０ないし５質量％、より好ましくは０ないし２質量％の、防腐剤；Ｍｇ／Ａｌシリケート；消臭剤；芳香剤；消泡剤；ビルダー；保護コロイド；安定剤；金属イオン封鎖剤及び凍結防止剤からなる群から選択される少なくとも１種の添加剤
を含む液状配合物に関する。
【０１３２】
本発明のより好ましい態様は、液状配合物であって、
（ａ）前記液状配合物の総質量に基づき、０．０１ないし９５質量％、好ましくは１ないし８０質量％、より好ましくは５ないし７０質量％の少なくとも１種の組成物であって、
上記で定義した、
少なくとも１種の式（１ａ）、（１ｂ）、（２ａ）、（３）、（４）、（４ａ）、（５）、（６）及び／又は（７）で表わされるフタロシアニン化合物、及び
少なくとも１種の式（Ａ）、（Ｂ）及び／又は（Ｃ）で表わされるアゾ色素、及び／又は
少なくとも１種の式（Ｄ）、（Ｅ）、（Ｆ）、（Ｇ）、（Ｈ）及び／又は（Ｉ）で表わされるトリフェニルメタン色素
を含む組成物、
（ｂ）前記液状配合物の総質量に基づき、５ないし９９．９９質量％、好ましくは２０ないし９９質量％、より好ましくは３０ないし９５質量％の炭素原子数１ないし４のアルコール又は水、及び
（ｃ）前記液状配合物の総質量に基づき、０ないし１０質量％、好ましくは０ないし５質量％、より好ましくは０ないし２質量％の、防腐剤；Ｍｇ／Ａｌシリケート；消臭剤；芳香剤；消泡剤；ビルダー；保護コロイド；安定剤；金属イオン封鎖剤及び凍結防止剤からなる群から選択される少なくとも１種の添加剤
を含む液状配合物に関する。
【０１３３】
本発明に従った組成物は、特に、洗剤又は柔軟剤配合物中に使用される。このような洗剤又は柔軟剤配合物は、固体、液体、ゲル状又はペースト状形態、例えば、英国特許出願公開第２１５８４５４号明細書に記載されるように、５質量％以下、好ましくは０ないし１質量％の水を含み、非イオン性界面活性剤中ビルダー物質の懸濁液に基づく、液状、非水性洗剤組成物の形態である。
洗剤配合物はまた、粉末又は（超）圧縮粉末の形態、単層又は多層タブレット（錠剤）の形態、洗剤バー、洗剤ブロック、洗剤シート、洗剤ペースト又は洗剤ゲルの形態、又は、カプセル中に又はパウチ（サシェット）中に使用される粉末、ペースト、ゲル又は液体の形態でもあり得る。
しかしながら、洗剤組成物は、好ましくは、非水性配合物、粉末、錠剤又は粒質物の形態である。
【０１３４】
従って、本発明はまた、洗剤配合物であって、
Ｉ）前記洗剤配合物の総質量に基づき、５ないし７０質量％のＡ）少なくとも１種のアニオン性界面活性剤、及び／又はＢ）少なくとも１種の非イオン性界面活性剤、
ＩＩ）前記洗剤配合物の総質量に基づき、５ないし６０質量％のＣ）少なくとも１種のビルダー物質、
ＩＩＩ）前記洗剤配合物の総質量に基づき、０ないし３０質量％のＤ）少なくとも１種のペルオキシド及び、所望により、少なくとも１種の活性剤、及び、
ＩＶ）０．００１ないし１質量％のＥ）少なくとも１種の粒質物であって、
ａ）前記粒質物の総質量に基づき、２ないし７５質量％の上記で定義した少なくとも１種の水溶性フタロシアニン化合物及び少なくとも１種のアゾ色素及び／又は少なくとも１種
のトリフェニルメタン色素、
ｂ）前記粒質物の総質量に基づき、１０ないし９５質量％の少なくとも１種の更なる添加剤、及び
ｃ）前記粒質物の総質量に基づき、０ないし１５質量％の水
を含む粒質物、
Ｖ）０ないし６０質量％のＦ）少なくとも１種の更なる添加剤、
ＶＩ）０ないし５質量％のＧ）水
を含む洗剤配合物に関する。
前記配合物における成分Ｉ）ないしＶＩ）の質量％の合計は、常に１００％である。
上記した好ましいものは全て、粒質物Ｅ）に適用される。
【０１３５】
従って、本発明はまた、洗剤配合物であって、
Ｉ）前記洗剤配合物の総質量に基づき、５ないし７０質量％のＡ）少なくとも１種のアニオン性界面活性剤、及び／又はＢ）少なくとも１種の非イオン性界面活性剤、
ＩＩ）前記洗剤配合物の総質量に基づき、５ないし６０質量％のＣ）少なくとも１種のビルダー物質、
ＩＩＩ）前記洗剤配合物の総質量に基づき、０ないし３０質量％のＤ）少なくとも１種のペルオキシド及び、所望により、少なくとも１種の活性剤、及び、
ＩＶ）０．００１ないし１質量％のＥ）少なくとも１種の粒質物であって、
ａ）前記粒質物の総質量に基づき、２ないし７５質量％の上記で定義した少なくとも１種の水溶性フタロシアニン化合物、及び少なくとも１種の式
【化８４】
2007501306.tif 000085
（式中、
Ｘ及びＹは、互いに独立して、それぞれ、水素原子；炭素原子数１ないし４のアルキル基又は炭素原子数１ないし４のアルコキシ基を表わし、
Ｒαは、水素原子又はアリール基を表わし、
Ｚは、炭素原子数１ないし４のアルキル基；炭素原子数１ないし４のアルコキシ基；ハロゲン原子；ヒドロキシル基又はカルボキシル基を表わし、
ｎは、１又は２を表わし、
ｍは、０、１又は２を表わす。）で表わされるアゾ色素、並びにそれらの相当する塩及びそれらの混合物、及び／又は、少なくとも１種のトリフェニルメタン色素、
ｂ）前記粒質物の総質量に基づき、１０ないし９５質量％の少なくとも１種の更なる添加剤、及び
ｃ）前記粒質物の総質量に基づき、０ないし１５質量％の水
を含む粒質物、及び、
Ｖ）０ないし６０質量％のＦ）少なくとも１種の更なる添加剤、及び、
ＶＩ）０ないし５質量％のＧ）水
を含む洗剤配合物に関する。
以下の洗剤配合物における成分Ｉ）ないしＶＩ）の％は、全ての場合において、該洗剤
配合物の総質量に基づく。
【０１３６】
アニオン性界面活性剤Ａ）は、例えば、スルフェート、スルホネート又はカルボキシレート界面活性剤又はそれらの混合物であり得る。好ましいスルフェートは、所望により、アルキル基が１０ないし２０個の炭素原子を有するところのアルキルエトキシスルフェートとの組合せた、アルキル基中に１２ないし２２個の炭素原子を有するものである。
【０１３７】
好ましいスルホネートは、例えば、アルキル基中に９ないし１５個の炭素原子を有するアルキルベンゼンスルホネートである。アニオン性界面活性剤の場合におけるカチオンは、好ましくはアルカリ金属カチオン、特にナトリウムである。
【０１３８】
アニオン性界面活性剤成分は、例えば、アルキルベンゼンスルホネート、アルキルスルフェート、アルキルエーテルスルフェート、オレフィンスルホネート、アルカンスルホネート、脂肪酸塩、アルキル又はアルケニルエーテルカルボキシレート又はａ−スルホ脂肪酸塩又はそれらのエステルであり得る。好ましいものは、アルキル基中に１０ないし２０個の炭素原子を有するアルキルベンゼンスルホネート、８ないし１８個の炭素原子を有するアルキルスルフェート、８ないし２２個の炭素原子を有するアルキルエーテルスルフェート、及びパーム油又は牛脂から誘導され、かつ８ないし２２個の炭素原子を有する脂肪酸塩である。アルキルエーテルスルフェートに付加されるエチレンオキシドの平均モル数は、好ましくは１ないし２２、好ましくは１ないし１０である。塩は、好ましくは、ナトリウム及びカリウム、特にナトリウム等のアルカリ金属から誘導される。より好ましいカルボキシレートは、式Ｒ−ＣＯ（Ｒ1）ＣＨ2ＣＯＯＭ1（式中、Ｒは、アルキル基又はアルケニル基中に８ないし２０個の炭素原子を有するアルキル基又はアルケニル基を表わし、Ｒ1は炭素原子数１ないし４のアルキル基を表わし、かつＭ1はアルカリ金属、特にナトリウムを表わす。）で表わされるアルカリ金属サルコシネートである。
【０１３９】
非イオン性界面活性剤成分は、例えば、第一及び第二アルコールエトキシレート、特に、アルコール１モル当り平均１ないし２０モルのエチレンオキシドでエトキシ化された炭素原子数８ないし２０の脂肪族アルコール、及びより特には、アルコール１モル当り平均１ないし１０モルのエチレンオキシドでエトキシ化された炭素原子数１０ないし１５の第一及び第二脂肪族アルコールであり得る。非エトキシ化非イオン性界面活性剤は、アルキルポリグリコシド、グリセロールモノエーテル、及びポリヒドロキシアミド（グルカミド）を含む。
【０１４０】
アニオン性界面活性剤及び非イオン性界面活性剤の総量は、好ましくは５ないし５０質量％、好ましくは５ないし４０質量％、及びより好ましくは５ないし３０質量％である。これら界面活性剤に関しては、下限は１０質量％であることが好ましい。
好ましいカルボキシレートは、式Ｒ19−ＣＯ−Ｎ（Ｒ20）−ＣＨ2ＣＯＯＭ’1（式中、Ｒ19は、アルキル基又はアルケニル基中に８ないし２０個の炭素原子を有するアルキル基又はアルケニル基を表わし、Ｒ20は炭素原子数１ないし４のアルキル基を表わし、かつＭ’1はアルカリ金属を表わす。）で表わされるアルカリ金属サルコシネートである。
【０１４１】
非イオン性界面活性剤Ｂ）は、例えば、３ないし８モルのエチレンオキシドと１モルの９ないし１５個の炭素原子を有する第一アルコールの縮合生成物であり得る。
【０１４２】
ビルダー物質Ｃ）としては、例えば、アルカリ金属ホフフェート、特にトリポリホスフェート、炭酸塩又は炭酸水素塩、特にそれらのナトリウム塩、シリケート、アルミノシリケート、ポリカルボキシレート、ポリカルボン酸、有機ホスホネート、アミノアルキレンポリ（アルキレンホスホネート）又はこれらの化合物の混合物が考慮される。
【０１４３】
特に適当なシリケートは、式ＮａＨＳｉtＯ2t+1・ｐＨ2Ｏ又はＮａ2ＳｉtＯ2t+1・ｐＨ2Ｏ（式中、ｔは１．９ないし４の数を表わし、ｐは０ないし２０の数を表わす。）で表わされる結晶性層状シリケートのナトリウム塩である。
【０１４４】
アルミノシリケートの内、好ましいものは、ゼオライザＡ、Ｂ、Ｘ及びＨＳの名前で市販で入手可能なもの、及びまた、これらの成分を２つ以上含む混合物である。ゼオライザＡが好ましい。
【０１４５】
ポリカルボキシレートの内、好ましいものは、ポリヒドロキシカルボキシレート、特にシトレート及びアクリレート、及びまた、無水マレイン酸とそれらのコポリマーである。好ましいポリカルボン酸は、ラセミ形態の又は鏡像異性的に純粋な（Ｓ，Ｓ）形態のニトリロ三酢酸、エチレンジアミン四酢酸及びエチレンジアミンジスクシネートエーテルである。
【０１４６】
特に適当なホスホネート又はアミノアルキレンポリ（アルキレンホスホネート）は、１−ヒドロキシエタン−１，１−ジホスホン酸の、ニトリロトリス（メチレンホスホン酸）の、エチレンジアミンテトラメチレンホスホン酸の、ヘキサメチレンジアミンＮ，Ｎ，Ｎ’，Ｎ’テトラキスメタンホスホン酸の、及びジエチレントリアミンペンタメチレンホスホン酸のアルカリ金属塩、並びにその塩である。
【０１４７】
適当なペルオキシド成分は、例えば、文献から既知であり、かつ慣用の洗浄温度において、例えば、５ないし９５℃において、繊維材料を漂白する市販で入手可能な（過酸化ナトリウムのような）有機及び無機ペルオキシドを含む。
特に、有機ペルオキシドは、例えば、少なくとも３個の、好ましくは６ないし２０個の炭素原子を有するアルキル鎖を有するモノペルオキシド又はポリペルオキシドであり；特に、６ないし１２個の炭素原子を有するジペルオキシジカルボキシレート、例えば、ジペルオキシペルアセテート、ジペルオキシペルセバケート、ジペルオキシフタレート及び／又はジペルオキシドデカンジオエート、特にそれらの相当する遊離酸が興味深いものである。
特に好ましいものは、モノ−又はポリペルオキシド、特に、有機過酸又はそれらの塩、例えばフタリミドペルオキソカプロン酸、ペルオキシ安息香酸、ジペルオキシドデカン二酸、ジペルオキシノナン二酸、ジペルオキシデカン二酸、ジペルオキシフタル酸又はそれらの塩である。
【０１４８】
ペルオキシドの量は、好ましくは０．５ないし３０質量％、好ましくは１ないし２０質量％、より好ましくは１ないし１５質量％である。ペルオキシドが使用される場合、その下限は、好ましくは２質量％、特に５質量％である。
【０１４９】
しかしながら、好ましくは、無機ペルオキシド、例えばペルスルフェート、ペルボレート、ペルカーボネート及び／又はペルシリケートが使用される。無機ペルオキシド及び／又は有機ペルオキシドの混合物もまた、使用され得ると理解され得る。ペルオキシドは、様々な結晶形態で存在し、かつ種々の水含有量を有し得、そしてそれらはまた、貯蔵安定性を改善するために、他の無機又は有機化合物と共にも使用され得る。
【０１５０】
ペルオキシドは、好ましくは、例えば、スクリュー計量システム及び／又は流動床ミキサーを使用して、成分を混合することによって、薬剤へ添加される。
【０１５１】
薬剤は、本発明に従った組み合わせの他に、例えば、ビス−トリアジニルアミノ−スチルベンジスルホン酸、ビス−トリアゾリル−スチルベンジスルホン酸、ビス−スチリル−ビフェニル又はビス−ベンゾフラニルビフェニル、ビス−ベンズオキサリル誘導体、ビス
−ベンズイミダゾリル誘導体又はクマリン誘導体又はピラゾリン誘導体類の蛍光増白剤を１種以上含み得る。
【０１５２】
使用される洗剤は、通常、汚れ懸濁剤等の助剤、例えば、カルボキシメチルセルロースナトリウム；ｐＨを調整するための塩、例えばアルカリ又はアルカリ土類金属シリケート；発泡調節剤、例えば石鹸；噴霧乾燥及び粒状性を調節するための塩、例えば硫酸ナトリウム；香料；及びまた、適当ならば帯電防止剤及び柔軟剤；例えばスメクチックのクレー；光漂白剤；顔料；及び／又は調色剤を１種以上含み得る。これらの成分は、もちろん、使用されるいかなる漂白系に対しても安定であるべきである。このような助剤は、洗剤の総質量に基づき、例えば０．１ないし２０質量％、好ましくは０．５ないし１０質量％、特に０．５ないし５質量％の量で存在し得る。
【０１５３】
更に、洗剤は、所望により、酵素を含み得る。酵素は、汚れを除去するために、洗剤へ添加され得る。酵素は、通常、血液、牛乳、草又はフルーツジュースによって生じたもの等の、タンパク質又は澱粉に基づく汚れに対する性能を改善する。好ましい酵素は、セルラーゼ、プロテアーゼ、アミラーゼ及びリパーゼである。好ましい酵素は、セルラーゼ及びプロテアーゼ、特にプロテアーゼである。セルラーゼは、セルロース及びその誘導体に対して作用する酵素であり、それらをグルコース、セロビオース、セロオリゴサッカリドに加水分解する。セルラーゼは、埃を除去し、かつ、ざらついた感触を和らげる効果を有する。使用される酵素の例は、以下のものを含むが、しかし、決してそれには制限されない：
米国特許第６，２４２，４０５号明細書、１４欄、２１行ないし３２行に示されたプロテアーゼ；
米国特許第６，２４２，４０５号明細書、１４欄、３３行ないし４６行に示されたリパーゼ；
米国特許第６，２４２，４０５号明細書、１４欄、４７行ないし５６行に示されたアミラーゼ；及び、
米国特許第６，２４２，４０５号明細書、１４欄、５７行ないし６４行に示されたセルラーゼ。
【０１５４】
酵素は、任意に、洗剤中に存在し得る。使用される場合、酵素は、通常、洗剤の総質量に基づき、０．０１ないし５質量％、好ましくは０．０５ないし５質量％、より好ましくは０．１ないし４質量％の量で存在する。
【０１５５】
式（１）で表わされる漂白触媒の他に、更に、漂白活性有効成分として既知の遷移金属塩又は錯体、及び／又は慣用の漂白活性剤、即ち、過加水分解条件下で、１ないし１０個の炭素原子、特に２ないし４個の炭素原子を有する未置換の又は置換されたペルベンゾ−及び／又はペルオキソ−カルボン酸をもたらす化合物を使用することもできる。適当な漂白活性剤は、最初に言及した、指示した数の炭素原子を有するＯ−及び／又はＮ−アシル基及び／又は未置換の又は置換されたベンゾイル基を有する慣用の漂白活性剤を含む。好ましいものは、ポリアシル化アルキレンジアミン、特にテトラアセチルエチレンジアミン（ＴＡＥＤ）、アシル化グリコルリル、特にテトラアセチルグリコルリル、（ＴＡＧＵ）、Ｎ，Ｎ−ジアセチル−Ｎ，Ｎ−ジメチルウレア（ＤＤＵ）、アシル化トリアジン誘導体、特に１，５−ジアセチル−２，４−ジオキソヘキサヒドロ−１，３，５−トリアジン（ＤＡＤＨＴ）、式
【化８５】
2007501306.tif 000086
（式中、Ｒ26は、スルホネート基、カルボン酸基又はカルボキシレート基を表わし、Ｒ27は、直鎖の又は枝分かれした（炭素原子数７ないし１５）アルキル基を表わす。）で表わされる化合物、特にＳＮＯＢＳ、ＳＬＯＢＳ及びＤＯＢＡの名前で既知の活性剤、アシル化多価アルコール、特にトリアセチン、エチレングリコールジアセテート及び２，５−ジアセトキシ−２，５−ジヒドロフラン、及びまた、アセチル化ソルビトール及びマンニトール、及びアシル化糖誘導体、特にペンタアセチルグルコース、（ＰＡＧ）、スクロースポリアセテート（ＳＵＰＡ）、ペンタアセチルフルクトース、テトラアセチルキシロース及びオクタアセチルラクトース、並びに、アセチル化され、任意にＮ−アルキル化されたグルカミン及びグルコノラクトンである。独国特許出願公開第４４４３１７７号明細書から既知の慣用の漂白活性剤の組合せを使用することもできる。ペルオキシドとペルイミン酸を形成するニトリル化合物もまた、漂白活性剤として考慮される。
【０１５６】
本発明に従った薬剤への更に好ましい添加剤は、染料固定剤及び／又は、生地の洗浄中、洗浄条件下において生地から解放された洗浄液中の染料によって生じる汚れを防止するポリマーである。このようなポリマーは、好ましくは、アニオン性又はカチオン性置換基の組み込みによって変性され得たポリビニルピロリドン、ポリビニルイミダゾール又はポリビニルピリジン−Ｎ−オキシド、特に５０００ないし６００００の範囲の、より特には５０００ないし５００００の範囲の分子量を有するものである。このようなポリマーは、通常、洗剤の総質量に基づき、０．０１ないし５質量％、好ましくは０．０５ないし５質量％、特には０．１ないし２質量％の量で使用される。好ましいポリマーは、国際公開第０２／０２８６５号パンフレット（特に、１頁、最終段落及び２頁、第一段落参照。）に示されたのものである。
【０１５７】
本発明に従った好ましい洗剤配合物は、
Ｉ）５ないし７０質量％のＡ）アルキル基中に９ないし１５個の炭素原子を有するアルキルベンゼンスルホネート；アルキル基中に６ないし１６個の炭素原子を有するアルキルナフタレンスルホネート；及び、式Ｒ−ＣＯ−Ｎ（Ｒ1）−ＣＨ2ＣＯＯＭ1（式中、Ｒは、アルキル基又はアルケニル基中に８ないし２０個の炭素原子を有するアルキル基又はアルケニル基を表わし、Ｒ1は炭素原子数１ないし４のアルキル基を表わし、かつＭ1はアルカリ金属を表わす。）で表わされるアルカリ金属サルコシネートからなる群からの少なくとも１種のアニオン性界面活性剤、及び／又はＢ）３ないし８モルのエチレンオキシドと１モルの９ないし２０個の炭素原子を含む第一アルコールの縮合生成物からなる群からの少なくとも１種の非イオン性界面活性剤、
ＩＩ）５ないし６０質量％のＣ）アルカリ金属ホフフェート；炭酸塩；炭酸水素塩；シリケート；珪酸アルミニウム；ポリカルボキシレート；ポリカルボン酸；有機ホスホネート及びアミノアルキレンポリ（アルキレンホスホネート）からなる群からのビルダー物質、及び、
ＩＩＩ）０ないし３０質量％のＤ）有機モノ−又はポリ−ペルオキシド；有機過酸及びその塩；ペルスルフェート；ペルボレート；ペルカーボネート及びペルシリケートからなる群からのペルオキシド、
ＩＶ）０．００１ないし１質量％のＥ）少なくとも１種の粒質物であって、
ａ）前記粒質物の総質量に基づき、２ないし７０質量％の上記で定義した少なくとも１種の水溶性フタロシアニン化合物及び少なくとも１種のアゾ色素及び／又は少なくとも１種のトリフェニルメタン色素、
ｂ）前記粒質物の総質量に基づき、１０ないし９５質量％の少なくとも１種の更なる添加剤、及び
ｃ）前記粒質物の総質量に基づき、０ないし１５質量％の水
を含む粒質物、
Ｖ）０ないし６０質量％のＦ）蛍光増白剤；埃のための懸濁剤；ｐＨ調節剤；発泡調節剤；噴霧乾燥及び粒状性を調節するための塩；香料；帯電防止剤；織物コンディショナー
；酵素；漂白剤；顔料；調色剤；生地の洗浄中、洗浄条件下において生地から解放された洗浄液中の染料によって生じる汚れを防止するポリマー；及びペルボレート活性剤からなる群からの更なる添加剤、及び、
ＶＩ）０ないし５質量％のＧ）水
からなる。
【０１５８】
本発明に従ったより好ましい洗剤配合物は、
Ｉ）５ないし７０質量％のＡ）アルキル基中に９ないし１５個の炭素原子を有するアルキルベンゼンスルホネート；アルキル基中に６ないし１６個の炭素原子を有するアルキルナフタレンスルホネート；及び、式Ｒ−ＣＯ−Ｎ（Ｒ1）−ＣＨ2ＣＯＯＭ1（式中、Ｒは、アルキル基又はアルケニル基中に８ないし２０個の炭素原子を有するアルキル基又はアルケニル基を表わし、Ｒ1は炭素原子数１ないし４のアルキル基を表わし、かつＭ1はアルカリ金属を表わす。）で表わされるアルカリ金属サルコシネートからなる群からの少なくとも１種のアニオン性界面活性剤、及び／又はＢ）３ないし８モルのエチレンオキシドと１モルの９ないし２０個の炭素原子を含む第一アルコールの縮合生成物からなる群からの少なくとも１種の非イオン性界面活性剤、
ＩＩ）５ないし６０質量％のＣ）アルカリ金属ホフフェート；炭酸塩；炭酸水素塩；シリケート；珪酸アルミニウム；ポリカルボキシレート；ポリカルボン酸；有機ホスホネート及びアミノアルキレンポリ（アルキレンホスホネート）からなる群からのビルダー物質、及び、
ＩＩＩ）０ないし３０質量％のＤ）有機モノ−又はポリ−ペルオキシド；有機過酸及びその塩；ペルスルフェート；ペルボレート；ペルカーボネート及びペルシリケートからなる群からのペルオキシド、
ＩＶ）０．００１ないし１質量％のＥ）少なくとも１種の粒質物であって、
ａ）前記粒質物の総質量に基づき、２ないし７０質量％の上記で定義した少なくとも１種の式（１ａ）、（１ｂ）、（２ａ）、（３）、（４）、（４ａ）、（５）、（６）及び／又は（７）で表わされるフタロシアニン化合物、及び
少なくとも１種の式
【化８６】
2007501306.tif 000087
（式中、
Ｘ及びＹは、それぞれ互いに独立して、水素原子；炭素原子数１ないし４のアルキル基又は炭素原子数１ないし４のアルコキシ基を表わし、
Ｒαは、水素原子又はアリール基を表わし、
Ｚは、炭素原子数１ないし４のアルキル基；炭素原子数１ないし４のアルコキシ基；ハロゲン原子；ヒドロキシル基又はカルボキシル基を表わし、
ｎは、１又は２を表わし、
ｍは、０、１又は２を表わす。）で表わされるアゾ色素、並びにそれらの相当する塩及びそれらの混合物、及び／又は
少なくとも１種の式（Ｄ）、（Ｅ）、（Ｆ）、（Ｇ）、（Ｈ）及び／又は（Ｉ）で表わ
されるトリフェニルメタン色素、
ｂ）前記粒質物の総質量に基づき、１０ないし９５質量％の少なくとも１種の更なる添加剤、及び
ｃ）前記粒質物の総質量に基づき、０ないし１５質量％の水
を含む粒質物、
Ｖ）０ないし６０質量％のＦ）蛍光増白剤；埃のための懸濁剤；ｐＨ調節剤；発泡調節剤；噴霧乾燥及び粒状性を調節するための塩；香料；帯電防止剤；織物コンディショナー；酵素；漂白剤；顔料；調色剤；生地の洗浄中、洗浄条件下において生地から解放された洗浄液中の染料によって生じる汚れを防止するポリマー；及びペルボレート活性剤からなる群からの更なる添加剤、及び、
ＶＩ）０ないし５質量％のＧ）水
からなる。
【０１５９】
本発明に従った特に好ましい洗剤配合物は、
Ｉ）５ないし７０質量％のＡ）アルキル基中に９ないし１５個の炭素原子を有するアルキルベンゼンスルホネート；アルキル基中に６ないし１６個の炭素原子を有するアルキルナフタレンスルホネート；及び、式Ｒ−ＣＯ−Ｎ（Ｒ1）−ＣＨ2ＣＯＯＭ1（式中、Ｒは、アルキル基又はアルケニル基中に８ないし２０個の炭素原子を有するアルキル基又はアルケニル基を表わし、Ｒ1は炭素原子数１ないし４のアルキル基を表わし、かつＭ1はアルカリ金属を表わす。）で表わされるアルカリ金属サルコシネートからなる群からの少なくとも１種のアニオン性界面活性剤、及び／又はＢ）３ないし８モルのエチレンオキシドと１モルの９ないし２０個の炭素原子を含む第一アルコールの縮合生成物からなる群からの少なくとも１種の非イオン性界面活性剤、
ＩＩ）５ないし６０質量％のＣ）アルカリ金属ホフフェート；炭酸塩；炭酸水素塩；シリケート；珪酸アルミニウム；ポリカルボキシレート；ポリカルボン酸；有機ホスホネート及びアミノアルキレンポリ（アルキレンホスホネート）からなる群からのビルダー物質、及び、
ＩＩＩ）０ないし３０質量％のＤ）有機モノ−又はポリ−ペルオキシド；有機過酸及びその塩；ペルスルフェート；ペルボレート；ペルカーボネート及びペルシリケートからなる群からのペルオキシド、
ＩＶ）０．００１ないし１質量％のＥ）少なくとも１種の粒質物であって、
ａ）前記粒質物の総質量に基づき、２ないし７０質量％の上記で定義した少なくとも１種の式（１ａ）、（１ｂ）、（２ａ）、（３）、（４）、（４ａ）、（５）、（６）及び／又は（７）で表わされるフタロシアニン化合物、及び少なくとも１種の式（Ａ）、（Ｂ）及び／又は（Ｃ）で表わされるアゾ色素、及び／又は少なくとも１種の式（Ｄ）、（Ｅ）、（Ｆ）、（Ｇ）、（Ｈ）及び／又は（Ｉ）で表わされるトリフェニルメタン色素、
ｂ）前記粒質物の総質量に基づき、１０ないし９５質量％の少なくとも１種の更なる添加剤、及び
ｃ）前記粒質物の総質量に基づき、０ないし１５質量％の水
を含む粒質物、
Ｖ）０ないし６０質量％のＦ）蛍光増白剤；埃のための懸濁剤；ｐＨ調節剤；発泡調節剤；噴霧乾燥及び粒状性を調節するための塩；香料；帯電防止剤；織物コンディショナー；酵素；漂白剤；顔料；調色剤；生地の洗浄中、洗浄条件下において生地から解放された洗浄液中の染料によって生じる汚れを防止するポリマー；及びペルボレート活性剤からなる群からの更なる添加剤、及び、
ＶＩ）０ないし５質量％のＧ）水
からなる。
【０１６０】
粒質物Ｅ）は、既知の方法に従って製造される。本発明の混合物を含む粒体を製造するために、いかなる既知の方法も適当である。連続又は非連続法が適当であり、噴霧乾燥又
は流動床粒状化プロセス等の連続法が好ましい。
【０１６１】
特に適当なのは、熱風を循環させることによって、有効成分溶液をチャンバ中に噴霧するところの噴霧乾燥プロセスである。溶液の噴霧は、１又は２つのノズルを使用して行われるか、又は急速回転ディスクの回転効果によってもたらされる。粒子サイズを増大させるために、噴霧プロセスは、チャンバの肝要な部分を形成する流動床中での固体核と液体粒子の更なる凝集と組み合わせられ得る（いわゆる、流動噴霧）。慣用の噴霧乾燥プロセスによって得られた微細な粒子（＜１００μｍ）は、有効成分の液滴との凝集のために、必要ならば、排ガスの流れから分離した後、更なる処理なしに、直接、噴霧乾燥機の噴霧器の噴霧コーン中に核として供給され得る。粒状化工程の間に、水は、フタロシアニン化合物及び適当ならば、更なる添加剤を含む溶液から容易に除去され得、そしてそれは、噴霧コーン中で形成した液滴の凝集、すなわち、固体粒子との液滴の凝集が起こることを明かに表わす。凝集プロセスは、通常より高い嵩質量をもたらし、その結果、粒質物が洗剤配合物とのより良好な相溶性を有するため、本発明に従った粒質物を製造するために凝集プロセスを使用することが好ましい。
【０１６２】
本発明の更なる態様は、粒質物の製造のための、膜分離手順によって精製されたフタロシアニン溶液の使用を含む。
【０１６３】
必要ならば、噴霧乾燥機中で形成された粒体は、例えば、篩操作による連続プロセスで除去される。微細な及び特大な粒子は、該プロセスへ直接再循環されるか（再溶解されることなく）、又は液体有効成分配合物中に溶解され、その後再び粒状化される。
粒質物は、摩耗に対して耐性があり、粉塵が少なく、自由流動性であり、かつ容易に計量され得る。それらは、特に、水に対する非常に急速な溶解性によって、特徴づけられる。粒質物Ｅ）は、好ましくは、５００ないし９００ｇ／Ｌの範囲の密度を有し、水中に急速に溶解し、かつ洗剤溶液の表面上に浮遊しない。それらは、フタロシアニン化合物の所望の濃度において、直接、洗剤配合物へ添加され得る。
【０１６４】
本発明に従った配合物における本発明に従った粒質物Ｅ）の含有率は、０．００１ないし１質量％、好ましくは０．００１ないし０．０５質量％、より特には０．００５ないし０．０３質量％である。
【０１６５】
本発明に従った洗剤配合物は、一般的に、既知の方法で製造され得る。
粉末形態の配合物は、例えば、まず、成分Ｄ）及びＥ）を除く上記で言及した全ての成分を含む水性スラリーを噴霧乾燥させることによって最初の粉末を製造し、その後、乾燥成分Ｄ）及びＥ）を添加し、それらの全てを一緒に混合することによって製造され得る。成分Ａ）及びＣ）は含むが、成分Ｂ）は含まない、又は成分Ｂ）の一部のみを含む水性スラリーから開始することもできる。スラリーは噴霧乾燥させられ；その後、成分Ｅ）が成分Ｂ）と混合され、かつ添加され；そして、その後、成分Ｄ）が乾燥状態で混合される。成分は、好ましくは、少なくとも５００ｇ／Ｌの特定の質量を有する、粒体形態の固体圧縮洗剤組成物が得られるような量で、お互い混合される。
【０１６６】
他の好ましい態様において、洗剤組成物の製造は、３工程で行われる。第一工程において、アニオン性界面活性剤（及び、適当ならば少量の非イオン性界面活性剤）及びビルダー物質の混合物が製造される。第二工程において、混合物が、大部分の非イオン性界面活性剤と共に噴霧され、そしてその後、第三工程において、ペルオキシド、及び適当ならば触媒、及び本発明に従った粒質物が添加される。該方法は、通常、流動床において行われる。更なる好ましい態様において、各工程は、それらの間に若干の重複量があるように、完全に別々には行われない。該方法は、通常、‘‘巨大真珠（ｍｅｇａｐｅａｒｌ）’’の形態の粒質物を得るために、押出機中で行われる。
【０１６７】
それとは別の方法として、本発明に従った粒質物は、後投与の工程における洗剤との混合のために、ホスフェート、ゼオライト、増白剤又は酵素等の他の洗剤成分と混合され得る。
粒質物の後投与のための混合物は、該混合物中における本発明に従った粒質物の均一な分布によって特徴づけられ、かつ、例えば、５ないし５０量％の粒質物及び９５ないし５０％のトリポリ硫酸ナトリウムからなり得る。洗剤組成物中の粒質物の暗い外見を抑制する場合、これは、例えば、白色がかった溶融可能な物質（‘‘水溶性ワックス’’）の液滴中に粒体を包埋することによって、又は、好ましくは、例えば、欧州特許第０３２３４０７号明細書に記載されるように、水溶性ワックスからなる溶融液中に粒質物をカプセル化することによって達成され得、カプセルのマスキング効果を強化するために、白色固体（例えば、二酸化チタン）が溶融液に添加される。
【０１６８】
洗剤はまた、５ないし５０質量％、好ましくは１０ないし３５質量％の水を含む水性液体として、又は、５質量％以下、好ましくは０ないし１質量％の水を含む非水性液体洗剤として配合され得る。非水性液体洗剤組成物は、キャリヤーとして他の溶媒を含み得る。メタノール、エタノール、プロパノール及びイソプロパノールによって例示される低分子量第一又は第二アルコールが適当である。一価アルコールが界面活性剤を可溶性にするために好ましいが、ポリオール、例えば２ないし約６個の炭素原子及び２ないし約６個のヒドロキシ基を含むもの（例えば、１，３−プロパンジオール、エチレングリコール、グリセリン及び１，２−プロパンジオール）もまた使用され得る。組成物は、このようなキャリヤーを５質量％ないし９０質量％、典型的には１０質量％ないし５０質量％含み得る。洗剤はまた、いわゆる、‘‘一回分の液体投与量’’の形態としても存在し得る。
【０１６９】
本発明の更なる態様は、
（ａ）少なくとも１種の光触媒及び少なくとも１種のアゾ色素及び／又は少なくとも１種のトリフェニルメタン色素を含む少なくとも１種の組成物であって、２２０−３２０°の相対色相角を示し、かつ該組成物が光に曝露される場合、該色素成分が分解する組成物、
（ｂ）少なくとも１種の織物柔軟剤、
を含む織物柔軟剤配合物である。
【０１７０】
本発明の好ましい態様は、
（ａ）上記で定義した少なくとも１種の式（１ａ）、（１ｂ）、（２ａ）、（３）、（４）、（４ａ）、（５）、（６）及び／又は（７）で表わされるフタロシアニン化合物、及び少なくとも１種の式
【化８７】
2007501306.tif 000088
（式中、
Ｘ及びＹは、互いに独立して、それぞれ、水素原子；炭素原子数１ないし４のアルキル
基又は炭素原子数１ないし４のアルコキシ基を表わし、
Ｒαは、水素原子又はアリール基を表わし、
Ｚは、炭素原子数１ないし４のアルキル基；炭素原子数１ないし４のアルコキシ基；ハロゲン原子；ヒドロキシル基又はカルボキシル基を表わし、
ｎは、１又は２を表わし、
ｍは、０、１又は２を表わす。）で表わされるアゾ色素、並びにそれらの相当する塩及びそれらの混合物、及び／又は少なくとも１種の式（Ｄ）、（Ｅ）、（Ｆ）、（Ｇ）、（Ｈ）及び／又は（Ｉ）で表わされるトリフェニルメタン色素を含む少なくとも１種の組成物であって、２２０−３２０°の相対色相角を示し、かつ該組成物が光に曝露される場合、該色素成分が分解する組成物、
（ｂ）少なくとも１種の織物柔軟剤、
を含む織物柔軟剤配合物である。
【０１７１】
本発明の特に好ましい態様は、
（ａ）上記で定義した少なくとも１種の式（１ａ）、（１ｂ）、（２ａ）、（３）、（４）、（４ａ）、（５）、（６）及び／又は（７）で表わされるフタロシアニン化合物、及び少なくとも１種の式（Ａ）、（Ｂ）及び／又は（Ｃ）で表わされるアゾ色素、及び／又は少なくとも１種の式（Ｄ）、（Ｅ）、（Ｆ）、（Ｇ）、（Ｈ）及び／又は（Ｉ）で表わされるトリフェニルメタン色素を含む少なくとも１種の組成物であって、２２０−３２０°の相対色相角を示し、かつ該組成物が光に曝露される場合、該色素成分が分解する組成物、
（ｂ）少なくとも１種の織物柔軟剤、
を含む織物柔軟剤配合物である。
【０１７２】
上記で定義した光触媒及びアゾ色素として好ましいものはまた、織物柔軟剤における使用のためにも適用される。
【０１７３】
ここで使用するのに適当な織物柔軟剤、特に炭化水素織物柔軟剤は、以下の化合物類から選択される；
（ｉ）カチオン性四級アンモニウム塩。該カチオン性四級アンモニウム塩の対イオンは、クロリド又はブロミド等のハリド、メチルスルフェート、又は文献で非常によく知られる他のイオンであり得る。好ましくは、対イオンは、メチルスルフェート又はいずれかのアルキルスルフェート又はいずれかのハリドであり、メチルスルフェートが、本発明の乾燥機に添加する添加する物品のために、最も好ましい。
カチオン性四級アンモニウム塩の例は、以下のものを含むが、しかし、それには制限されない：
（１）炭素原子数８ないし３０、好ましくは炭素原子数１２ないし２２のアルキル鎖又はアルケニル鎖を少なくとも２つ有する非環状四級アンモニウム塩、例えば：ジ牛脂ジメチルアンモニウムメチルスルフェート、ジ（水素化牛脂）ジメチルアンモニウムメチルスルフェート、ジ（水素化牛脂）ジメチルアンモニウムメチルクロリド、ジステアリルジメチルアンモニウムメチル−スルフェート、ジココジメチルアンモニウムメチルスルフェート等。織物柔軟剤化合物が、少なくとも１つのエステル結合を通して分子に結合した炭素原子数１２ないし１８のアルキル基又はアルケニル基を２つ有する化合物を含む非水溶性四級アンモニウム材料であるならば、それは特に好ましい。四級アンモニウム材料が、２つのエステル結合を有するならば、それはより好ましい。本発明において使用するために特に好ましいエステル結合四級アンモニウム材料は、式
【化８８】
2007501306.tif 000089
（式中、各Ｒ28基は、独立して、炭素原子数１ないし４のアルキル基、ヒドロキシアルキル基又は炭素原子数２ないし４のアルケニル基から選択され；Ｔは、−Ｏ−Ｃ（Ｏ）−又は−Ｃ（Ｏ）−Ｏ−を表わし、各Ｒ29基は、独立して、炭素原子数８ないし２８のアルキル基又はアルケニル基から選択され；かつ、ｅは０ないし５の整数を表わす。）で表わされ得る。
２番目に好ましい四級アンモニウム材料類は、式
【化８９】
2007501306.tif 000090
（式中、Ｒ14、ｅ及びＲ15は、上記で定義した通りである。）で表わされ得る。
（２）イミダゾリニウム類の環状四級アンモニウム塩、例えば、ジ（水素化牛脂）ジメチルイミダゾリニウムメチルスルフェート、１−エチレン−ビス（２−牛脂−１−メチル）イミダゾリニウムメチルスルフェート等；
（３）ジアミド四級アンモニウム塩、例えば：メチル−ビス（水素化牛脂アミドエチル）−２−ヒドロキシエチルアンモニウムメチルスルフェート、メチルビス（牛脂アミドエチル）−２−ヒドロキシプロピルアンモニウムメチルスルフェート等；
（４）生分解性の四級アンモニウム塩、例えば、Ｎ，Ｎ−ジ（牛脂オイル−オキシ−エチル）−Ｎ，Ｎ−ジメチルアンモニウムメチルスルフェート及びＮ，Ｎ−ジ（牛脂オイル−オキシ−プロピル）−Ｎ，Ｎ−ジメチルアンモニウムメチルスルフェート。生分解性の四級アンモニウム塩は、例えば、参照としてここに組込まれる米国特許第４，１３７，１８０号明細書、米国特許第４，７６７，５４７号明細書及び米国特許第４，７８９，４９１号明細書に記載されている。
好ましい生分解性の四級アンモニウム塩は、参照としてここに組込まれる米国特許第４，１３７，１８０号明細書に記載された生分解性のカチオン性ジエステル化合物を含む。
【０１７４】
（ｉｉ）炭素原子数８ないし３０、好ましくは炭素原子１２ないし２２のアルキル鎖を、少なくとも１つ、好ましくは２つ有する第三脂肪アミン。その例は、硬化した牛脂−ジ−メチルアミン及び１−（水素化牛脂）アミドエチル−２−（水素化牛脂）イミダゾリン等の環状アミンを含む。ここで、組成物のために使用され得る環状アミンは、参照としてここに組込まれる米国特許第４，８０６，２５５号明細書に記載されている。
【０１７５】
（ｉｉｉ）１分子当り８ないし３０個の炭素原子及び１つのカルボン酸基を有するカルボン酸。アルキル基部分は、８ないし３０個、好ましくは１２ないし２２個の炭素原子を有する。アルキル基部分は、直鎖又は枝分かれ、飽和又は不飽和であり得り、直鎖の飽和アルキル基が好ましい。ステアリン酸が、組成物中に使用するための好ましい脂肪酸である。これらカルボン酸の例は、商用銘柄のステアリン酸及びパルミチン酸、及び少量の他の酸を含み得るそれらの混合物である。
【０１７６】
（ｉｖ）ソルビタンエステル又はグリセロールステアレート等の多価アルコールのエステル。ソルビタンエステルは、ソルビトール又はイソソルビトールとステアリン酸等の脂
肪酸の縮合生成物である。好ましいソルビタンエステルは、モノアルキルである。ソルビタンエステルの一般例は、ソルビタンとイソソルバイドステアレートの混合物であるＳＰＡＮ（登録商標：ＳＰＡＮ）６０（ＩＣＩ）である。
【０１７７】
（ｖ）脂肪アルコール、エトキシ化脂肪アルコール、アルキルフェノール、エトキシ化アルキルフェノール、エトキシ化脂肪アミン、エトキシ化モノグリセリド及びエトキシ化ジグリセリド。
（Ｖｉ）鉱油、及びポリエチレングリコール等のポリオール。
【０１７８】
これらの柔軟剤は、米国特許第４，１３４，８３８号明細書に、より明確に記載されており、この開示は参照としてここに組込まれる。ここでの使用のために好ましい織物柔軟剤は、非環状四級アンモニウム塩である。上記で言及した織物柔軟剤の混合物もまた使用され得る。
【０１７９】
本発明に従った織物柔軟剤配合物は、該織物柔軟剤配合物の総質量に基づき、約０．００１ないし５質量％、好ましくは０．００１ないし３質量％の少なくとも１種の組成物であって、
上記で定義した少なくとも１種の式（１ａ）、（１ｂ）、（２ａ）、（３）、（４）、（４ａ）、（５）、（６）及び／又は（７）で表わされるフタロシアニン化合物、及び
少なくとも１種の式
【化９０】
2007501306.tif 000091
（式中、
Ｘ及びＹは、それぞれ互いに独立して、水素原子；炭素原子数１ないし４のアルキル基又は炭素原子数１ないし４のアルコキシ基を表わし、
Ｒαは、水素原子又はアリール基を表わし、
Ｚは、炭素原子数１ないし４のアルキル基；炭素原子数１ないし４のアルコキシ基；ハロゲン原子；ヒドロキシル基又はカルボキシル基を表わし、
ｎは、１又は２を表わし、
ｍは、０、１又は２を表わす。）で表わされるアゾ色素、並びにそれらの相当する塩及びそれらの混合物、及び／又は
少なくとも１種の式（Ｄ）、（Ｅ）、（Ｆ）、（Ｇ）、（Ｈ）及び／又は（Ｉ）で表わされるトリフェニルメタン色素
を含む組成物、を含む。
【０１８０】
本発明に従った好ましい織物柔軟剤配合物は、該織物柔軟剤配合物の総質量に基づき、約０．００１ないし５質量％、好ましくは０．００１ないし３質量％の少なくとも１種の組成物であって、上記で定義した少なくとも１種の式（１ａ）、（１ｂ）、（２ａ）、（３）、（４）、（４ａ）、（５）、（６）及び／又は（７）で表わされるフタロシアニン化合物、及び、少なくとも１種の式（Ａ）、（Ｂ）及び／又は（Ｃ）で表わされるアゾ色
素、及び／又は、少なくとも１種の式（Ｄ）、（Ｅ）、（Ｆ）、（Ｇ）、（Ｈ）及び／又は（Ｉ）で表わされるトリフェニルメタン色素を含む組成物、を含む。
【０１８１】
本発明において使用される織物柔軟剤配合物は、好ましくは、織物柔軟剤組成物の総質量に基づき、約０．１ないし約９５質量％の織物柔軟剤配合物を含む。好ましいのは、０．５ないし５０質量％の量、特に２ないし５０質量％の量、より好ましくは２ないし３０質量％の量である。
【０１８２】
織物柔軟剤組成物はまた、標準的な市販の織物柔軟剤組成物のために慣用な添加剤、例えばエタノール、ｎ−プロパノール、ｉ−プロパノール、多価アルコール、例えば、グリセロール及びプロピレングリコール等のアルコール；両性及び非イオン性界面活性剤、例えばイミダゾールのカルボキシル誘導体、オキシエチル化脂肪アルコール、水素化及びエトキシ化ヒマシ油、アルキルポリグリコシド、例えば、デシルポリグルコース及びドデシルポリグルコース、脂肪アルコール、脂肪酸エステル、脂肪酸、エトキシ化脂肪酸グリセリド又は脂肪酸一部グリセリド（ｆａｔｔｙ  ａｃｉｄ  ｐａｒｔｉａｌ  ｇｌｙｃｅｒｉｄｅ）；また、無機又は有機塩、例えば、水溶性カリウム、ナトリウム又はマグネシウム塩、非水性溶媒、ｐＨ緩衝液、香料、染料、ヒドロトロープ剤、消泡剤、再付着防止剤、酵素、蛍光増白剤、抗収縮剤、染み抜き剤、殺菌剤、殺かび剤、染料固定剤又は染料移動抑制剤（国際公開第０２／０２８６５号パンフレットに記載されたような）、抗酸化剤、防蝕剤、しわとり剤又はポリオルガノシロキサン等の湿潤汚染減少剤も含み得る。後者の２つの添加剤は、国際公開第０１２５３８５号パンフレットに記載されている。
【０１８３】
このような添加剤は、好ましくは、織物柔軟剤組成物の総質量に基づき、０ないし３０質量％の量で使用される。好ましくは、織物柔軟剤組成物の総質量に基づき、０ないし２０質量％の量、特に０ないし１０質量％の量、最も好ましくは０ないし５質量％の量である。
【０１８４】
織物柔軟剤組成物は、好ましくは、液状水性形態にある。織物柔軟剤組成物は、好ましくは、該組成物の総質量に基づき、２５ないし９０質量％の含有量で水を含む。より好ましくは、水の含有量は、５０ないし９０質量％、特に６０ないし９０質量％である。
【０１８５】
本発明の好ましい態様は、
（ａ）０．００１ないし５質量％の、
上記で定義した少なくとも１種の式（１ａ）、（１ｂ）、（２ａ）、（３）、（４）、（４ａ）、（５）、（６）及び／又は（７）で表わされるフタロシアニン化合物、及び、少なくとも１種の式
【化９１】
2007501306.tif 000092
（式中、
Ｘ及びＹは、互いに独立して、それぞれ、水素原子；炭素原子数１ないし４のアルキル
基又は炭素原子数１ないし４のアルコキシ基を表わし、
Ｒαは、水素原子又はアリール基を表わし、
Ｚは、炭素原子数１ないし４のアルキル基；炭素原子数１ないし４のアルコキシ基；ハロゲン原子；ヒドロキシル基又はカルボキシル基を表わし、
ｎは、１又は２を表わし、
ｍは、０、１又は２を表わす。）で表わされるアゾ色素、並びにそれらの相当する塩及びそれらの混合物、及び／又は少なくとも１種の式（Ｄ）、（Ｅ）、（Ｆ）、（Ｇ）、（Ｈ）及び／又は（Ｉ）で表わされるトリフェニルメタン色素、
を含む少なくとも１種の組成物であって、２２０−３２０°の相対色相角を示し、かつ該組成物が光に曝露される場合、該色素成分が分解する組成物、
（ｂ）０．１ないし９５質量％の、上記で定義した（ｉ）ないし（ｖｉ）類から選択される少なくとも１種の織物柔軟剤、
（ｃ）０ないし３０質量％の、アルコール；両性及び非イオン性界面活性剤；無機又は有機塩；非水性溶媒；ｐＨ緩衝液；香料、染料；ヒドロトロープ剤；消泡剤；再付着防止剤；酵素；蛍光増白剤；抗収縮剤；染み抜き剤；殺菌剤；殺かび剤；染料固定剤又は染料移動抑制剤；抗酸化剤；防蝕剤；しわとり剤又は湿潤汚染減少剤からなる群から選択される少なくとも１種の添加剤、及び、
（ｄ）２５ないし９０質量％の水、
を含む織物柔軟剤配合物である。
【０１８６】
本発明のより好ましい態様は、
（ａ）０．００１ないし５質量％の、
上記で定義した少なくとも１種の式（１ａ）、（１ｂ）、（２ａ）、（３）、（４）、（４ａ）、（５）、（６）及び／又は（７）で表わされるフタロシアニン化合物、及び少なくとも１種の式（Ａ）、（Ｂ）及び／又は（Ｃ）で表わされるアゾ色素、及び／又は少なくとも１種の式（Ｄ）、（Ｅ）、（Ｆ）、（Ｇ）、（Ｈ）及び／又は（Ｉ）で表わされるトリフェニルメタン色素を含む少なくとも１種の組成物であって、２２０−３２０°の相対色相角を示し、かつ該組成物が光に曝露される場合、該色素成分が分解する組成物、
（ｂ）０．１ないし９５質量％の、上記で定義した（ｉ）ないし（ｖｉ）類から選択される少なくとも１種の織物柔軟剤、
（ｃ）０ないし３０質量％の、アルコール；両性及び非イオン性界面活性剤；無機又は有機塩；非水性溶媒；ｐＨ緩衝液；香料、染料；ヒドロトロープ剤；消泡剤；再付着防止剤；酵素；蛍光増白剤；抗収縮剤；染み抜き剤；殺菌剤；殺かび剤；染料固定剤又は染料移動抑制剤；抗酸化剤；防蝕剤；しわとり剤又は湿潤汚染減少剤からなる群から選択される少なくとも１種の添加剤、及び、
（ｄ）２５ないし９０質量％の水、
を含む織物柔軟剤配合物である。
【０１８７】
織物柔軟剤組成物は、好ましくは２．０ないし９．０、特に２．０ないし５．０のｐＨ値を有する。
【０１８８】
織物柔軟剤組成物は、例えば以下のように製造され得る：
まず、カチオン性ポリマーの水性配合物を上記したように製造する。本発明に従った織物柔軟剤組成物は、通常、まず、活性物質、すなわち、炭化水素に基づく織物柔軟剤成分を溶融状態において水中に撹拌し、その後、必要に応じて、更なる所望の添加剤を添加し、そして最後に、カチオン性ポリマーの配合物を添加することによって製造されるが、この製造方法には限らない。織物柔軟剤組成物はまた、例えば、あらかじめ配合された織物柔軟剤とカチオン性ポリマーを混合することによっても製造され得る。
【０１８９】
これらの織物柔軟剤組成物は、慣用的に、水中に例えば３０質量％までの活性物質を含
む分散液として製造される。それらは、通常、濁った外見を有する。しかしながら、通常、溶媒と共に５ないし４０質量％の量で活性物質を含む代わりとなる配合物は、透明な外見を有するマイクロエマルジョンとして製造され得る（溶媒と配合物については、例えば米国特許出願公開第５，５４３，０６７号明細書及び国際公開第９８／１７７５７号パンフレット参照。）。
【０１９０】
液状リンスコンディショナー組成物で処理される得る適当な紡織繊維材料の例は、絹、羊毛、ポリアミド、アクリル又はポリウレタン、特にセルロース系繊維材料及び全ての種類のブレンドからつくられる材料である。このような繊維材料は、例えば、綿、リネン、ジュート及び麻等の天然セルロース繊維及び再生セルロースである。好ましいものは、綿からつくられる織物繊維材料である。織物柔軟剤組成物はまた、混合繊維、例えば綿とポリエステル繊維又はポリアミド繊維の混合物中に存在するヒドロキシル含有繊維にも適当である。以下の実施例は、本発明をそれに制限することなく、本発明を説明する。部及び％は、特に記載がない限りは、質量に対するものである。温度は、特に記載がない限りは、摂氏温度で示す。
【実施例】
【０１９１】
実施例
分解実験
光触媒と色素の水性混合物又は成分のみを、下記した濃度で該混合物又は成分のみを１２５ｍＬを含む密閉した２５０ｍＬガラス壜中で日光に曝露した。
該壜の前でロラインＲＯ−１３２２デジタル照度計で測定した強度は、４５００ないし６０００Ｌｕｘの範囲内であった。
成分の分解は、ＨＰ８５４２ダイオードアレー分光計から得た分光光度データから決定した。混合物の吸収は、成分の各吸収最大において測定した。（光触媒  ６７０ｎｍ、色素  ５５０ｎｍ）。６７０ｎｍの光触媒の最大吸収においては、２つの吸収スペクトルの小さな重なりしかないが、色素の吸収最大においては、かなりの重なりがあり得た。吸収は、開始時、及びその後２時間毎に決定した。２時間後の減少は、最初の濃度のパーセントで示し、かつ重なりが考慮される場合は補正した。
使用した光触媒は、
光触媒１：スルホン化Ａｌ−及びＺｎテトラベンゾ−テトラアザ−ポルフィリンの混合物（液状チノルクス（登録商標：Ｔｉｎｏｌｕｘ）ＢＭＣ）、
光触媒２：スルホン化Ｚｎテトラベンゾ−テトラアザ−ポルフィリン、
である。
使用した色素は、［００２８］で定義した式（Ａ）及び（Ｂ）で表わされるものである。
結果を表１にまとめる。
表１
【表１】
2007501306.tif 000093
【０１９２】
色相角の決定
色相角は、選択した光源（Ｄ６５又はＡ）及び１０°観測装置のための普通の計算モジュールを使用して、透過モードにおいて収集した出発混合物の実験スペクトルから決定した。混合物は、分解実施例１ないし１７と同様にして製造した。
結果を、表２にまとめる
表２
【表２】
2007501306.tif 000094
【国際調査報告】
2007501306.tif 000105
2007501306.tif 000106
2007501306.tif 000107